(57)【要約】      （修正有）【課題】気化投与用の定量の物質を調製、管理、および／または投与するための装置および方法を提供する。【解決手段】加熱気化される原薬を使用者に肺送達するための吸入器用用量カートリッジ２３００のためのクランプチャンバ２３２０であって、上記吸入器用用量カートリッジを格納位置から使用位置に移動するように構成されたカートリッジ輸送部２３１４と、加熱気化される原薬が上記クランプチャンバの空気路と密封状態で位置合わせされるように用量カートリッジを保持する保持部２３１０Ａ，２３１０Ｂと、上記クランプチャンバの中の吸入器用用量カートリッジの電気抵抗加熱要素２３０６の少なくとも２つの電気接触受入れ領域と電気接触するように位置決めされた電極２３３０Ａ，２３３０Ｂと、を備えるクランプチャンバ。【選択図】図７Ａ−７Ｂ
2020049281.tif 000002
【特許請求の範囲】
【請求項１】
加熱気化される原薬を使用者に肺送達するための吸入器用用量カートリッジのためのクランプチャンバであって、
前記吸入器用用量カートリッジを格納位置から使用位置に移動するカートリッジ輸送部と、
加熱気化される原薬が上記クランプチャンバの空気路と密封状態で位置合わせされるように、選択された用量カートリッジと係合する少なくとも２つのクランプ部材と、
前記クランプチャンバの中の前記吸入器用用量カートリッジの電気抵抗加熱要素の少なくとも２つの電気接触受入れ領域と電気接触するように位置決めされた電極と、
を備える、クランプチャンバ。
【請求項２】
前記クランプ部材の少なくとも１つは、少なくとも１つのエアシールを備える、請求項１に記載のクランプチャンバ。
【請求項３】
前記少なくとも１つのエアシールは、前記用量カートリッジの周りを閉鎖して、前記空気路に沿った空気流の移動以外の空気流の移動を防止する、請求項２に記載のクランプチャンバ。
【請求項４】
前記少なくとも１つのエアシールは、弾性的に変形可能な材料を含む、請求項２および３のいずれか一項に記載のクランプチャンバ。
【請求項５】
前記クランプ部材は、それぞれが前記電極の少なくとも１つを備える、請求項１から４のいずれか一項に記載のクランプチャンバ。
【請求項６】
前記カートリッジ輸送部は、前記用量カートリッジの受入れ領域と連結する形状の用量部引出しアームであって、移動することによって、前記用量カートリッジが使用位置にまたは使用位置から移動される、用量部引出しアームを備える、請求項１から５のいずれか一項に記載のクランプチャンバ。
【請求項７】
加熱気化される原薬の揮発性成分を前記空気路に閉じ込める、請求項１から６のいずれか一項に記載のクランプチャンバ。
【請求項８】
前記電極は、それぞれ前記電気抵抗加熱要素の電気接触受入れ領域に接触する平面を画定する、請求項１から７のいずれか一項に記載のクランプチャンバ。
【請求項９】
前記電極は、それぞれ前記電気抵抗加熱要素の電気接触受入れ領域に接触する湾曲面を画定する、請求項１から８のいずれか一項に記載のクランプチャンバ。
【請求項１０】
前記電極は、前記吸入器用用量カートリッジの対向表面に電気接触するように位置決めされた、請求項１から９のいずれか一項に記載のクランプチャンバ。
【請求項１１】
前記カートリッジ輸送部は、前記用量カートリッジの係止部材と係合する形状を有する、請求項１から１０のいずれか一項に記載のクランプチャンバ。
【請求項１２】
それぞれが対応する吸入器用用量カートリッジを移動する、複数のカートリッジ輸送部と、
前記複数のカートリッジ輸送部に対応する複数のクランプ部材と、
前記カートリッジ輸送部のそれぞれに対応する電極と、
を備える、請求項１から１１のいずれか一項に記載のクランプチャンバ。
【請求項１３】
前記電極と前記電気接触受入れ領域との間の接触力は、約５００ニュートンである、請求項１から１２のいずれか一項に記載のクランプチャンバ。
【請求項１４】
ボディが円筒状である、請求項１から１３のいずれか一項に記載のクランプチャンバ。
【請求項１５】
複数の用量カートリッジが格納されたマガジンとともに使用される吸入装置であって、
請求項１から１４のいずれか一項に記載のクランプチャンバと、
投与計画に基づき前記複数の用量カートリッジから用量カートリッジを選択するように構成された制御部と、
を備える、吸入装置。
【請求項１６】
カルーセル型のマガジンに取り付けるまたは受け入れる形状を有する、請求項１５に記載の吸入装置。
【請求項１７】
線型のマガジンに取り付けるまたは受け入れる形状を有する、請求項１５および１６のいずれか一項に記載の吸入装置。
【請求項１８】
前記マガジンの移動を作動するモータを備え、前記制御部は、前記モータの動作を制御する、請求項１５から１７のいずれか一項に記載の吸入装置。
【請求項１９】
前記制御部は、前記電気抵抗加熱要素による前記用量カートリッジの加熱を制御する、請求項１５から１８のいずれか一項に記載の吸入装置。
【請求項２０】
前記電気抵抗加熱要素は、空気が通過可能である、請求項１５から１９のいずれか一項に記載の吸入装置。
【請求項２１】
前記用量カートリッジの空気流および／または温度を示すデータを提供する１つまたは複数のセンサを備える、請求項１５から２０のいずれか一項に記載の吸入装置。 
【発明の詳細な説明】
【技術分野】
【０００１】
本発明のいくつかの実施形態において、本発明は、個人用吸入装置を使用した物質の肺送達に関し、より具体的には調剤および投与するための取扱いに関するが、これらに限定されない。
【背景技術】
【０００２】
特許文献１の教示によれば、「外気導入管に可撓性弁を配置することによって吸入器が改良される。吸入の吸込みおよびベンチュリ効果によって、吸入の強さに比例して可撓性弁が閉じられる。したがって、様々な強さの吸入の場合でさえ、同じ導出流量が得られる。制御された吸入流量によって薬剤の適切な投与が可能である。代替的な実施形態において、定量吸入器（metered dose inhaler；ＭＤＩ）に同様の可撓性弁が取り付けられている。この場合にも、患者は、一定の流量で吸入するように強制され、それにより薬剤を肺の中に深く浸透させる。いずれの実施形態においても、可撓性弁は好ましくは、カモのくちばしのような形状であって、このカモのくちばしの狭い端部方向に空気流が流れる形状である。」
【先行技術文献】
【特許文献】
【０００３】
【特許文献１】米国特許第５，６５５，５２０号明細書
【特許文献２】国際公開第２０１２／０８５９１９号
【発明の概要】
【０００４】
いくつかの実施形態の一態様によれば、吸入装置用の用量カートリッジ（dose cartridge）であって、２つの対向面を有し、上記２つの面を空気流に対して露出するように上記用量カートリッジ内に位置決めされている、加熱気化される原薬を含む通気性材料の平パレットと；上記パレットの上記２つの面を連結する少なくとも１つの側面から上記パレットを支持する、上記パレットに結合された支持部材と；上記支持部材との取付け部分から少なくとも部分的に上記２つの対向面の少なくとも一方を横切って伸長する電気抵抗加熱要素と、を備える、用量カートリッジが提供される。
【０００５】
いくつかの実施形態によれば、上記支持部材は、上記パレットの少なくとも３つの側面の少なくとも一部を囲む。
【０００６】
いくつかの実施形態によれば、上記支持部材は、上記パレットの縁部に沿って上記パレットの上記２つの面の間に伸長している。
【０００７】
いくつかの実施形態によれば、上記抵抗加熱要素は、上記パレットの少なくとも２つの対向表面に熱的に接触し、かつ上記少なくとも２つの対向表面を横切って伸長している。
【０００８】
いくつかの実施形態によれば、上記抵抗加熱要素は、２つの端部を有するＵ字形状を、上記パレットが位置決めされる凹所（hollow）の周りに備える。
【０００９】
いくつかの実施形態によれば、上記２つの端部間に電圧が印加されるとき、上記２つの対向表面を横切って電流が流れる。
【００１０】
いくつかの実施形態によれば、上記抵抗加熱要素は少なくとも２つの抵抗加熱要素を含み、各抵抗加熱要素は、上記パレットの少なくとも一部と熱的に接触し、かつ上記パレットの少なくとも一部を横切って伸長している。
【００１１】
いくつかの実施形態によれば、上記少なくとも２つの抵抗加熱要素は、上記パレットの対向表面を横切って伸長している。
【００１２】
いくつかの実施形態によれば、上記抵抗加熱要素は、上記パレットの少なくとも一部の中に被包されている部分であって、上記パレットの少なくとも一部の中を横切って伸長している部分を有する。
【００１３】
いくつかの実施形態によれば、上記抵抗加熱要素は、上記パレットの表面を横切って伸長しており、かつ上記パレット内への複数の突出部を備える。
【００１４】
いくつかの実施形態によれば、上記抵抗加熱要素の、上記パレットを横切って伸長している少なくとも一部は、空気を通過させる。
【００１５】
いくつかの実施形態によれば、上記抵抗加熱要素の、上記パレットを横切って伸長している一部は、上記パレットの粒状部分が上記吸入器用用量カートリッジから離れることを防止する防壁部を備える。
【００１６】
いくつかの実施形態によれば、上記抵抗加熱ユニットは、織られたメッシュを備える。
【００１７】
いくつかの実施形態によれば、上記抵抗加熱ユニットは、エッチングした金属箔の少なくとも１つのリボンを備える。
【００１８】
いくつかの実施形態によれば、上記エッチングした金属箔の少なくとも１つのリボンは、空気を通過可能にする複数の穿孔部を含むポリマーバッキングで裏張りされている。
【００１９】
いくつかの実施形態によれば、上記エッチングした金属箔の少なくとも１つのリボンは、高抵抗の偏狭領域であって、上記加熱気化される原薬の放出後に印加される電力の消散の間に上記少なくとも１つのリボンに沿った電気的連続性が破壊されるように溶融する領域が備えられる。
【００２０】
いくつかの実施形態によれば、上記エッチングした金属箔の少なくとも１つのリボンは、上記加熱気化される原薬の放出後に印加される電力の消散の間に上記少なくとも１つのリボンに沿った電気的連続性を破壊するように構成されたヒューズ素子に取り付けられている。
【００２１】
いくつかの実施形態によれば、上記抵抗加熱要素の少なくとも一部は、上記パレットに埋め込まれている。
【００２２】
いくつかの実施形態によれば、上記通気性支持部材は、上記パレットの粒状部分が上記吸入器用用量カートリッジから離れることを防止するように十分に閉鎖されている。
【００２３】
いくつかの実施形態によれば、上記通気性支持部材は、上記パレットと上記加熱要素とを分離している。
【００２４】
いくつかの実施形態によれば、上記材料は、大麻を含む。
【００２５】
いくつかの実施形態によれば、上記材料には、カンナビス・サティバ（Cannabis sativa）、カンナビス・インディカ（Cannabis indica）、カンナビス・ルデラリス（Cannabis ruderalis）、アカシア属植物（Acacia spp.）、ベニテングタケ（Amanita muscaria）、ヤヘー（Yage）、ベラドンナ（Atropa belladonna）、ビンロウ（Areca catechu）、ブルグマンシア属植物（Brugmansia spp.）、ニオイバンマツリ（Brunfelsia latifolia）、ハイクサネム（Desmanthus illinoensis）、バニステリオプシス・カーピ（Banisteriopsis caapi）、トリコケレウス属植物（Trichocereus spp.）、カカオ（Theobroma cacao）、トウガラシ属植物（Capsicum spp.）、キチョウジ属植物（Cestrum spp.）、コカ（Erythroxylum coca）、コリウス（Solenostemon scutellarioides）、ダンチク（Arundo donax）、アラビカコーヒーノキ（Coffea arabica）、チョウセンアサガオ属植物（Datura spp.）、デスフォンタイニア属植物（Desfontainia spp.）、ディプロプテリス・カブレラナ（Diplopterys cabrerana）、シナマオウ（Ephedra sinica）、バッカクキン（Claviceps purpurea）、ガラナ（Paullinia cupana）、オオバアサガオ（Argyreia nervosa）、ヒヨス（Hyoscyamus niger）、イボガ（Tabernanthe iboga）、ラゴキルス・イネブリアンス（Lagochilus inebriens）、ジャスティシア・ペクトラリス（Justicia pectoralis）、カンナ（Sceletium tortuosum）、カヴァ（Piper methysticum）、アラビアチャノキ（Catha edulis）、ミトラガイナ・スペシオーサ（Mitragyna speciosa）、カエンキセワタ（Leonotis leonurus）、スイレン属植物（Nymphaea spp.）、ハス属植物（Nelumbo spp.）、テキサスマウンテンローレル（Sophora secundiflora）、ムクナ（Mucuna pruriens）、マンドレイク（Mandragora officinarum）、ミモサ・テヌイフローラ（Mimosa tenuiflora）、キバナハマヒルガオ（Ipomoea violacea）、シビレタケ属（Psilocybe spp.）、ヒカゲタケ属（Panaeolus spp.）、ナツメグ（Myristica fragrans）、タービナ・コリボサ（Turbina corymbosa）、チャボトケイソウ（Passiflora incarnata）、ウバタマ（Lophophora williamsii）、クサヨシ属植物（Phalaris spp.）、ピチュリ（Duboisia hopwoodii）、ケシ（Papaver somniferum）、サイコトリア・ビリディス（Psychotria viridis, spp.）、サルビア・ディビノラム（Salvia divinorum）、シクンシ科植物（Combretum quadrangulare）、トリコセレウス・パチャノイ（Trichocereus pachanoi）、シニクイチ（Heimia salicifolia）、スリーピーグラス（Stipa robusta）、ソランドラ属植物（Solandra spp.）、セイヨウオトギリ（Hypericum perforatum）、ペガヌム・ハルマラ（Peganum harmala）、サンユウカ属植物（Tabernaemontana spp.）、チャノキ（Camellia sinensis）、タバコ（Nicotiana tabacum）、ニコチアナ・ルスティカ（Nicotiana rustica）、エペナ（Virola theidora）、ボアカンガ・アフリカーナ（Voacanga africana）、ワイルドレタス（Lactuca virosa）、ニガヨモギ（Artemisia absinthium）、イェルバ・マテ（Ilex paraguariensis）、アナデナンテラ属植物（Anadenanthera spp.）、コリナンテ・ヨヒンベ（Corynanthe yohimbe）、カレア・ザカテチチ（Calea zacatechichi）、コーヒーノキ属植物（Coffea spp.）（アカネ科）、ムクロジ科植物（Sapindaceae spp.）、ツバキ属植物（Camellia spp.）、アオイ科植物（Malvaceae spp.）、モチノキ科植物（Aquifoliaceae spp.）、フーディア属植物（Hoodia spp.）、カモミール（Chamomilla recutita）、チャボトケイソウ（Passiflora incarnate）、チャノキ、セイヨウハッカ（Mentha piperita）、ミドリハッカ（Mentha spicata）、ヨーロッパキイチゴ（Rubus idaeus）、ユーカリプタス・グロブルス（Eucalyptus globulus）、ラバンデュラ・オフィシナリス（Lavandula officinalis）、タチジャコウソウ（Thymus vulgaris）、コウスイハッカ（Melissa officinalis）、タバコ、アロエベラ、アンゼリカ、アニス、アヤワスカ（バニステリオプシス・カーピ）、メギ、ブラック・ホアハウンド、ブルーロータス、ゴボウ、カモミール、ヒメウイキョウ、キャッツクロー、クローブ、ヒレハリソウ、トウモロコシの毛、シバムギ、ダミアナ、ダミアナ、タンポポ、マオウ、ユーカリ、マツヨイグサ、ウイキョウ、ナツシロギク、アメリカヒトツバタゴ、ニンニク、ショウガ、イチョウ、チョウセンニンジン、アキノキリンソウ、ヒドラスチス、ツボクサ、緑茶、ガラナ、サンザシ、ホップ、トクサ、ヤナギハッカ、コーラ・ナッツ、クラトン、ラベンダー、コウスイハッカ、カンゾウ、ライオンズテール／ワイルドダッガ（Lion’s Tail/Wild Dagga）、マカの根、ウスベニタチアオイ、セイヨウナツユキソウ、マリアアザミ、セイヨウメハジキ、パッションフラワー、トケイソウ、ペパーミント、アザミゲシ、スベリヒユ、キイチゴの葉、ヒナゲシ、ヤクヨウサルビア、ノコギリヤシ、マルバキンゴジカ、シニクイチ（マヤのサンオープナー（Mayan Sun Opener））、スペアミント、ショウブ、シリアン・ルー（ペガヌム・ハルマラ）、タイム、ウコン、セイヨウカノコソウ、野生ヤマノイモ、ヨモギ、ノコギリソウ、イェルバ・マテ、およびヨヒンベからなる群から選択される少なくとも１種類の植物性物質が含まれる。
【００２６】
いくつかの実施形態によれば、上記電気的抵抗加熱要素は、上記パレットを横切って伸長している領域の片側または両側に電極との接触受入れ領域を備える。
【００２７】
いくつかの実施形態によれば、上記吸入器用用量カートリッジは、複数の加熱要素領域を備え、上記領域は、それぞれ、電流を受け入れるように個別に構成されている。
【００２８】
いくつかの実施形態によれば、上記複数の加熱要素は、対応する複数のパレットに関連付けられている。
【００２９】
いくつかの実施形態によれば、上記抵抗加熱要素は、用量部引出し部（dose puller）の輸送アームに取り付けられる形状の取付け要素を備える。
【００３０】
いくつかの実施形態によれば、上記用量カートリッジの少なくとも一部は、少なくとも１ｋＰａの引込み真空下で（under a pulling vacuum）１分あたり少なくとも０．５リットルの、上記パレットを通るガス流量を可能にするように構成されている。
【００３１】
いくつかの実施形態によれば、上記支持部材は、上記パレットの上記２つの面の間に伸長する箇所で上記パレットによって取り囲まれている。
【００３２】
いくつかの実施形態によれば、上記支持部材は、上記２つの面の少なくとも一方で開口している凹所領域を含む。
【００３３】
いくつかの実施形態によれば、上記抵抗加熱要素は、金属製の抵抗加熱要素である。
【００３４】
いくつかの実施形態の一態様によれば、加熱気化される原薬の肺送達のための吸入器用用量カートリッジの製造方法であって、上記加熱気化される原薬を含む材料のパレットを調製するステップと；上記パレットの２つの面の間に伸長する支持部材に上記パレットを取り付けるステップと；上記パレットに電気抵抗加熱要素を取り付けるステップと、を含む方法が提供される。
【００３５】
いくつかの実施形態によれば、上記パレットを調製するステップは、平面の上の用量部チャンバ内に粒状化した植物性物質を配置することと；上記用量部チャンバ内で上記植物性物質を平らにすることと、を含む。
【００３６】
いくつかの実施形態によれば、上記パレットを調製するステップは、平面の上の用量部チャンバ内に粒状化した植物性物質を配置することと；上記粒状化した植物性物質が平らになるまで上記平面を振動することと；上記平らにした植物性物質を押圧することによって、上記植物性物質の体積を少なくとも５０％減らしてパレットを形成することと、を含む。
【００３７】
いくつかの実施形態によれば、上記パレットを調製するステップは、テープ状に形成された植物性物質からテープ片を切り取ることを含む。
【００３８】
いくつかの実施形態によれば、上記パレットを調製するステップは、上記加熱気化される原薬を含むゲル、流体、または粉体を、粒状化した通気性の植物性材料に加えることを含む。
【００３９】
いくつかの実施形態によれば、上記材料は、大麻を含む。
【００４０】
いくつかの実施形態によれば、上記材料には、カンナビス・サティバ、カンナビス・インディカ、カンナビス・ルデラリス、アカシア属植物、ベニテングタケ、ヤヘー、ベラドンナ、ビンロウ、ブルグマンシア属植物、ニオイバンマツリ、ハイクサネム、バニステリオプシス・カーピ、トリコケレウス属植物、カカオ、トウガラシ属植物、キチョウジ属植物、コカ、コリウス、ダンチク、アラビカコーヒーノキ、チョウセンアサガオ属植物、デスフォンタイニア属植物、ディプロプテリス・カブレラナ、シナマオウ、バッカクキン、ガラナ、オオバアサガオ、ヒヨス、イボガ、ラゴキルス・イネブリアンス、ジャスティシア・ペクトラリス、カンナ、カヴァ、アラビアチャノキ、ミトラガイナ・スペシオーサ、カエンキセワタ、スイレン属植物、ハス属植物、テキサスマウンテンローレル、ムクナ、マンドレイク、ミモサ・テヌイフローラ、キバナハマヒルガオ、シビレタケ属、ヒカゲタケ属、ナツメグ、タービナ・コリボサ、チャボトケイソウ、ウバタマ、クサヨシ属植物、ピチュリ、ケシ、サイコトリア・ビリディス、サルビア・ディビノラム、シクンシ科植物、トリコセレウス・パチャノイ、シニクイチ、スリーピーグラス、ソランドラ属植物、セイヨウオトギリ、ペガヌム・ハルマラ、サンユウカ属植物、チャノキ、タバコ、ニコチアナ・ルスティカ、エペナ、ボアカンガ・アフリカーナ、ワイルドレタス、ニガヨモギ、イェルバ・マテ、アナデナンテラ属植物、コリナンテ・ヨヒンベ、カレア・ザカテチチ、コーヒーノキ属植物（アカネ科）、ムクロジ科植物、ツバキ属植物、アオイ科植物、モチノキ科植物、フーディア属植物、カモミール、チャボトケイソウ、チャノキ、セイヨウハッカ、ミドリハッカ、ヨーロッパキイチゴ、ユーカリプタス・グロブルス、ラバンデュラ・オフィシナリス、タチジャコウソウ、コウスイハッカ、タバコ、アロエベラ、アンゼリカ、アニス、アヤワスカ（バニステリオプシス・カーピ）、メギ、ブラック・ホアハウンド、ブルーロータス、ゴボウ、カモミール、ヒメウイキョウ、キャッツクロー、クローブ、ヒレハリソウ、トウモロコシの毛、シバムギ、ダミアナ、ダミアナ、タンポポ、マオウ、ユーカリ、マツヨイグサ、ウイキョウ、ナツシロギク、アメリカヒトツバタゴ、ニンニク、ショウガ、イチョウ、チョウセンニンジン、アキノキリンソウ、ヒドラスチス、ツボクサ、緑茶、ガラナ、サンザシ、ホップ、トクサ、ヤナギハッカ、コーラ・ナッツ、クラトン、ラベンダー、コウスイハッカ、カンゾウ、ライオンズテール／ワイルドダッガ、マカの根、ウスベニタチアオイ、セイヨウナツユキソウ、マリアアザミ、セイヨウメハジキ、パッションフラワー、トケイソウ、ペパーミント、アザミゲシ、スベリヒユ、キイチゴの葉、ヒナゲシ、ヤクヨウサルビア、ノコギリヤシ、マルバキンゴジカ、シニクイチ（マヤのサンオープナー）、スペアミント、ショウブ、シリアン・ルー（ペガヌム・ハルマラ）、タイム、ウコン、セイヨウカノコソウ、野生ヤマノイモ、ヨモギ、ノコギリソウ、イェルバ・マテ、およびヨヒンベからなる群から選択される少なくとも１種類の植物性物質が含まれる。
【００４１】
いくつかの実施形態によれば、粒状化した上記植物性物質は、微細構造が完全なまま維持された植物性物質を含む。
【００４２】
いくつかの実施形態によれば、上記パレットを調製するステップは、植物性物質を凍結することと、上記凍結された植物性物質をすりつぶして粒状化することであって、上記すりつぶすことは実質的に、上記植物性物質の上記微細構造を破壊せずに行われる、粒状化と、を含む。
【００４３】
いくつかの実施形態によれば、破壊されていない上記微細構造には、粒状化後に破壊されずに残っている原薬を含む少なくとも９０％の液胞が含まれる。
【００４４】
いくつかの実施形態によれば、上記パレットを調製するステップは、上記加熱気化される原薬を含むゲル、流体、または粉体を、通気性材料に加えることを含む。
【００４５】
いくつかの実施形態によれば、上記パレットを支持部材に取り付けるステップは、上記パレットを形成中に行われる。
【００４６】
いくつかの実施形態の一態様によれば、加熱気化される原薬を使用者に肺送達するための吸入器用用量カートリッジにおいて、上記加熱気化される原薬を含む材料の通気性パレットであって、上記パレットが、上記用量カートリッジの２つの表側面の間で上記パレットを通る空気流に曝されるように上記用量カートリッジ内で上記パレットの向きが合わせられている、パレットと；上記パレットの２つの面の間に伸長する支持部材と；上記２つの表側面の少なくとも一方を横切って伸長しかつ上記支持部材に接続された通気性保有要素と、を備える、吸入器用用量カートリッジが提供される。
【００４７】
いくつかの実施形態によれば、上記パレットの上記材料は、砕けやすい材料を含む。
【００４８】
いくつかの実施形態によれば、上記砕けやすい材料は植物性物質を含み、上記植物性物質は、自然の状態の上記植物性物質の完全な微細構造を有する。
【００４９】
いくつかの実施形態によれば、上記吸入器用用量カートリッジは、上記パレットと熱的に連通している（in thermal communication）電気抵抗加熱要素を備える。
【００５０】
いくつかの実施形態によれば、上記電気抵抗加熱要素は、上記２つの表側面の少なくとも一方を横切って伸長している。
【００５１】
いくつかの実施形態によれば、上記通気性保有要素は、上記電気抵抗加熱要素を備える。
【００５２】
いくつかの実施形態によれば、上記吸入器用用量カートリッジは、上記パレットの上記保有要素に隣接している１つ以上の面を少なくとも部分的に取り囲むフレーム要素を備える。
【００５３】
いくつかの実施形態によれば、上記フレーム要素は、上記パレット材料が密着状に押し込まれる開口部を備える。
【００５４】
いくつかの実施形態によれば、上記フレーム要素は、上記加熱気化される原薬が気化する温度の熱に対して耐熱性のポリマーを含む。
【００５５】
いくつかの実施形態によれば、上記フレーム要素は、上記ポリマーフレームの少なくとも部分的な溶融によって上記抵抗加熱要素に取り付けられており、その結果、上記ポリマーフレームの材料は、上記抵抗加熱要素の１つ以上の開口部に流入している。
【００５６】
いくつかの実施形態によれば、上記電気抵抗加熱要素は、上記フレーム要素の一部に少なくとも部分的に埋め込まれている。
【００５７】
いくつかの実施形態によれば、上記電気抵抗加熱要素は、上記パレットに少なくとも部分的に埋め込まれている。
【００５８】
いくつかの実施形態によれば、上記フレーム要素は、用量部引出し部の上記輸送アームに取り付けられる形状の輸送アームインターロック領域を備える。
【００５９】
いくつかの実施形態の一態様によれば、加熱気化される原薬を使用者に肺送達するための吸入器用用量カートリッジのためのクランプチャンバであって、上記吸入器用用量カートリッジを格納位置から使用位置に移動するように構成されたカートリッジ輸送部と；加熱気化される原薬が上記クランプチャンバの空気路と密封状態で位置合わせされる（in sealed alignment）ように用量カートリッジを保持する保持部と；上記クランプチャンバの中の吸入器用用量カートリッジの電気抵抗加熱要素の少なくとも２つの電気接触受入れ領域と電気接触するように位置決めされた電極と、を備える、クランプチャンバが提供される。
【００６０】
いくつかの実施形態によれば、上記カートリッジ輸送部は、用量部引出しアームであって、上記用量部引出しアームの移動によって、用量カートリッジが使用位置にまたは使用位置から移動されるように上記用量カートリッジの受入れ領域と連結する形状の用量部引出しアームを備える。
【００６１】
いくつかの実施形態によれば、上記密封状態で位置合わせすることによって、上記パレットを通過する空気が上記使用者の肺の器官に通じる出口開口部まで流れる内腔内に、パレット材料を通る経路が画定される。
【００６２】
いくつかの実施形態によれば、上記保持部は、上記吸入器用用量カートリッジを移動するように構成された上記カートリッジ輸送部を備える。
【００６３】
いくつかの実施形態によれば、上記クランプチャンバは、対応する吸入器用用量カートリッジを移動するようにそれぞれが構成された複数の上記カートリッジ輸送部と；上記複数のカートリッジ輸送部に対応する複数の保持部と；上記カートリッジ輸送部のそれぞれに対応する電極と、を備える。
【００６４】
いくつかの実施形態によれば、上記複数の保持部は、保持されている上記用量カートリッジの１つを通る空気流が他の用量カートリッジを通過するように上記空気路に沿って連続して位置決めされている。
【００６５】
いくつかの実施形態によれば、上記複数の保持部は、それぞれが個別の空気流を受け入れるように位置決めされている。
【００６６】
いくつかの実施形態によれば、上記空気路は、上記複数の保持部に対応した複数の内腔を備えており、上記保持部は、それぞれ、上記複数の内腔の個別の１つに位置決めされている。
【００６７】
いくつかの実施形態によれば、上記保持部のそれぞれは、上記空気路の共有された内腔に位置決めされている。
【００６８】
いくつかの実施形態によれば、上記保持部の少なくとも１つは、用量カートリッジが保持されている位置を通る空気流を少なくとも部分的に遮断する遮断部を位置決めするように操作可能である。
【００６９】
いくつかの実施形態によれば、上記カートリッジ輸送部は、複数の吸入器用用量カートリッジのいずれかを上記複数の保持部の１つに移動するように構成されている。
【００７０】
いくつかの実施形態の一態様によれば、上記クランプチャンバを備える吸入装置が提供される。
【００７１】
いくつかの実施形態の一態様によれば、２つ以上の上記クランプチャンバを備える吸入装置が提供される。
【００７２】
いくつかの実施形態によれば、上記吸入装置は、閉鎖容器内に複数の用量カートリッジを備える用量カートリッジディスペンサを備える。
【００７３】
いくつかの実施形態によれば、上記複数の用量カートリッジは、原薬量、原薬濃度、および原薬成分からなる群の少なくとも１つの点で異なる用量カートリッジを含む。
【００７４】
いくつかの実施形態によれば、上記吸入装置は、投与計画に基づき上記複数の用量カートリッジから用量カートリッジを選択するように構成されている制御部を備える。
【００７５】
いくつかの実施形態によれば、上記制御部は、上記投与計画に進捗に応じて上記投与計画を調節するように構成されている。
【００７６】
いくつかの実施形態の一態様によれば、複数の用量カートリッジを閉鎖容器内に備え、かつ、上記容器からの第１の用量カートリッジの分配後に上記第１の用量カートリッジが上記ディスペンサに返還されるまで上記容器から第２の用量カートリッジが分配されることを防止するインターロックを有する、用量カートリッジディスペンサが提供される。
【００７７】
いくつかの実施形態によれば、上記用量カートリッジは物質気化ユニットに分配され、上記インターロック操作には、上記物質気化ユニットを上記用量カートリッジディスペンサに挿入することが含まれる。
【００７８】
いくつかの実施形態の一態様によれば、気化装置であって、上記気化装置が用量カートリッジ容器に嵌合されている間に上記用量カートリッジ容器から用量カートリッジを密着状に（fittingly）受け入れる大きさの区画と、上記気化装置が上記用量カートリッジ容器から取り外されている間、上記用量カートリッジに含まれる揮発性物質を揮発させるために、密着状に受け入れられた上記用量カートリッジの加熱要素に電流を送達するように作動可能な電力ユニットと、を備える、気化装置が提供される。
【００７９】
いくつかの実施形態によれば、上記気化装置は上記用量カートリッジ容器を有し、上記用量カートリッジ容器は、複数の上記用量カートリッジを含む。
【００８０】
本明細書において使用されているすべての技術用語および科学用語の意味は、別段定義されない限り、本発明が属する技術分野の当業者によって一般に理解されている意味と同じである。
【００８１】
本発明の実施形態を実施する、またはテストするときには、本明細書に記載されている方法および材料に類似するかまたは同等の方法および材料を使用することができるが、例示的な方法および材料を以下に説明する。
【００８２】
矛盾が生じる場合、定義を含めて本特許明細書に従うものとする。さらには、これらの材料、方法、および例は、説明のみを目的としており、本発明を制限することを意図していない。
【００８３】
当業者に理解されるように、本発明の諸態様は、システム、方法、またはコンピュータプログラム製品として具現化されうる。したがって、本発明の諸態様は、完全にハードウェアの実施形態、完全にソフトウェアの実施形態（ファームウェア、常駐ソフトウェア、マイクロコード等を含む）、またはソフトウェアの態様とハードウェアの態様とを組み合わせた実施形態の形態をとり得、これらはすべて、本明細書において、一般的に「回路」、「モジュール」、または「システム」と呼ばれうる。さらに、本発明のいくつかの実施形態は、媒体上に具現化された、コンピュータで読取り可能なプログラムコードを有する１つ以上の、コンピュータで読取り可能な媒体内に具現化されたコンピュータプログラム製品の形態をとりうる。本発明のいくつかの実施形態の方法および／またはシステムの実施には、選択されるタスクを、手動で、または自動的に、またはこれらを組み合わせて、実行および／または完了することが伴い得る。さらに、本発明の方法および／またはシステムのいくつかの実施形態の実際の設備および機器に従って、いくつかの選択されるタスクを、ハードウェアによって、ソフトウェアによって、もしくはファームウェアによって、および／またはこれらの組合せによって（例えばオペレーティングシステムを使用して）実施することができる。
【００８４】
例えば、本発明のいくつかの実施形態に係る選択されるタスクを実行するためのハードウェアは、チップまたは回路として実施可能である。ソフトウェアとしては、本発明のいくつかの実施形態に係る選択されるタスクは、任意の適切なオペレーティングシステムを使用するコンピュータによって実行される複数のソフトウェア命令として実施可能である。発明の例示的な実施形態においては、本明細書に記載されている方法および／またはシステムのいくつかの例示的な実施形態に係る１つまたは複数のタスクは、データプロセッサ（例えば、複数の命令を実行するためのコンピューティングプラットフォーム）によって実行される。データプロセッサは任意選択的に、命令および／もしくはデータを記憶するための揮発性メモリ、ならびに／または、命令および／もしくはデータを記憶するための不揮発性記憶装置（例えば、磁気ハードディスク、リムーバブルメディア）を含んでいる。任意選択的に、ネットワーク接続も提供される。任意選択的に、ディスプレイおよび／またはユーザ入力デバイス（例えば、キーボード、マウス）も提供される。
【００８５】
１つ以上の、コンピュータで読取り可能な媒体の任意の組合せが本発明のいくつかの実施形態のために利用されうる。コンピュータで読取り可能な媒体は、コンピュータで読取り可能な信号媒体またはコンピュータで読取り可能な記憶媒体でありうる。コンピュータで読取り可能な記憶媒体は例えば、電子的、磁気的、光学的、もしくは電磁的な、または、赤外線もしくは半導体によるシステム、装置、もしくは機器、またはこれらの任意の適切な組み合わせでありうるが、これらに限定されない。コンピュータで読取り可能な記憶媒体の、より具体的な例（網羅的なリストではない）には、１本以上のワイヤを有する電気接続、ポータブルコンピュータディスケット、ハードディスク、ランダムアクセスメモリ（ＲＡＭ）、リードオンリーメモリ（ＲＯＭ）、消去可能プログラマブルＲＯＭ（ＥＰＲＯＭ、すなわちフラッシュメモリ）、光ファイバ、ポータブルコンパクトディスクＲＯＭ（ＣＤ−ＲＯＭ）、光学記憶装置、電磁記憶装置、またはこれらの任意の適切な組合せが含まれうる。本明細書において、コンピュータで読取り可能な記憶媒体は、命令実行システム、命令実行装置、または命令実行機器によって使用されるか、またはこれらと組み合わされるプログラムを含み、または記憶することができる任意の有形媒体でありうる。
【００８６】
コンピュータで読取り可能な信号媒体は、コンピュータで読取り可能なプログラムコードが具現化された伝搬データ信号を、ベースバンドに、または搬送波の一部として含みうる。そのような伝搬信号は、電磁的もしくは光学的形式、またはそれらの任意の適切な組合せを含む様々な形式をとりうるが、それらに限定されない。コンピュータで読取り可能な信号媒体は、コンピュータで読取り可能な記憶媒体ではないコンピュータで読取り可能な任意の媒体であって、命令実行システム、命令実行装置、または命令実行機器によって使用されるか、またはこれらと組み合されるプログラムを伝達・伝搬・運搬することができる、コンピュータで読取り可能な媒体でありうる。
【００８７】
コンピュータで読取り可能な媒体で具現化されるプログラムコード、および／またはコンピュータで読取り可能な媒体によって使用されるデータは、無線、有線、光学ファイバケーブル、ＲＦ等、またはそれらの任意の適切な組合せを含むが、これらに限定されない任意の適切な媒体を使用して送信されうる。
【００８８】
本発明のいくつかの実施形態の操作を実行するためのコンピュータプログラムは、Ｊａｖａ（登録商標）、Ｓｍａｌｌｔａｌｋ（登録商標）、Ｃ＋＋等のオブジェクト指向プログラミング言語、および「Ｃ」プログラミング言語または同様のプログラミング言語等の従来の手続き型言語を含む１つ以上のプログラミング言語の任意の組合せで書かれうる。プログラムコードは、完全にユーザのコンピュータ上で、部分的にユーザのコンピュータ上で、スタンドアローンのソフトウェアパッケージとして、ユーザのコンピュータ上とリモートコンピュータ上とで部分的に、または、完全にリモートコンピュータまたはリモートサーバ上で実行されうる。リモートコンピュータ上で実行されるシナリオでは、リモートコンピュータは、ローカルエリアネットワーク（ＬＡＮ）もしくは広域ネットワーク（ＷＡＮ）を含む任意の種類のネットワークによってユーザのコンピュータに接続されうるか、または、外部のコンピュータに接続されうる（例えば、インターネットサービスプロバイダを使用してインターネットを介して）。
【００８９】
本発明のいくつかの実施形態が、本発明の実施形態に係る方法、装置（システム）、およびコンピュータプログラム製品のフローチャート図および／またはブロック図を参照して以下に説明されうる。フローチャート図および／またはブロック図の各ブロック、ならびに、フローチャート図および／またはブロック図のブロックの組合せは、コンピュータプログラムの命令によって実施可能であることが理解されよう。コンピュータプログラムの命令は、汎用コンピュータ、専用コンピュータ、または他のプログラム可能なマシンを成すデータ処理装置に提供され得、その結果、コンピュータまたは他のプログラム可能なデータ処理装置のプロセッサを介して実行されるこれら命令が、フローチャート図および／またはブロック図の１つまたは複数のブロック内に特定された機能／動作を実施するための手段を作り出す。
【００９０】
コンピュータプログラムの命令はまた、コンピュータで読取り可能な媒体に記憶されうる。これら命令は、コンピュータ、他のプログラム可能なデータ処理装置、または他の機器に特定の仕方で機能するように指示することができ、その結果、コンピュータで読取り可能な媒体に記憶されたこれら命令によって、フローチャート図および／またはブロック図の１つまたは複数のブロック内に特定された機能／動作を実施する命令を含む製造品が製造される。
【００９１】
コンピュータプログラムの命令はまた、コンピュータ、他のプログラム可能なデータ処理装置、または他の機器に取り込まれ得、これらコンピュータ、他のプログラム可能なデータ処理装置、または他の機器において一連の操作ステップを実行させる。それにより、コンピュータプログラムの命令は、コンピュータまたは他のプログラム可能なデータ処理装置によって実行される命令がフローチャート図および／またはブロック図の１つまたは複数のブロック内に特定された機能／動作を実施するプロセスを提供するように、コンピュータによって実施されるプロセスを作る。
【００９２】
本発明のいくつかの実施形態を、添付の図面を参照して例示のみを目的として本明細書において説明する。ここで、具体的に図面を詳細に参照することで、図の特定部分が例として表されており、本発明の実施形態の例示的な議論を目的としていることを強調する。この点に関し、図面と共になされる説明によって、いかに本発明の実施形態が実施されうるかが当業者に明らかになる。
【図面の簡単な説明】
【００９３】
【図１】いくつかの実施形態に係る、吸入装置を用いて用量部パッケージの中で使用される粒状化した植物性物質を調製する方法の概略的フローチャートである。
【図２】いくつかの実施形態に係る、吸入装置を用いて使用される用量カートリッジを、植物性物質を包装して作製する方法の概略的フローチャートである。
【図３】いくつかの実施形態に係る、植物性物質のすりつぶし装置の概略図である。
【図４】いくつかの実施形態に係る、植物性物質のすりつぶしヘッドのすりつぶしプレートの概略図である。
【図５Ａ】いくつかの実施形態に係る、分解された用量カートリッジの概略図である。
【図５Ｂ】いくつかの実施形態に係る、組み立てられた用量カートリッジの概略図である。
【図５Ｃ−５Ｈ】いくつかの実施形態に係る、用量カートリッジの代替的構造を例示する概略図である。
【図５Ｉ−５Ｍ】いくつかの実施形態に係る、用量カートリッジの代替的構造を例示する概略図である。
【図６Ａ−６Ｃ】いくつかの実施形態に係る、吸入装置と共に使用されるカルーセル型の用量部送達システムを例示する概略図である。
【図６Ｄ−６Ｅ】いくつかの実施形態に係る、吸入装置と共に使用されるカルーセル型の用量部送達システムを例示する概略図である。
【図７Ａ−７Ｂ】いくつかの実施形態に係る、加熱し、用量カートリッジから気化した物質を送達するためのクランプチャンバを例示する概略図である。
【図７Ｃ】いくつかの実施形態に係る、カートリッジを挟持するクランプチャンバ内の用量カートリッジの断面を例示する概略図である。
【図８Ａ−Ｂ】いくつかの実施形態に係る、用量部マガジン（例えばカルーセル）から装填される用量部送達装置であって、用量部自体を送達するためにマガジンから分離可能な用量部送達装置を例示する概略図である。
【図９】いくつかの実施形態に係る、取外し可能な用量部投与用組立体とのインターロック保護付き（interlock-protected）用量部分配装置を例示する概略図である。
【図１０】いくつかの実施形態に係る、２つの別個のカルーセルマガジン内に保持された複数の用量カートリッジからの物質を同時に投与しうるために配置されたカルーセルを例示する概略図である。
【図１１Ａ−１１Ｃ】いくつかの実施形態に係る、吸入装置と共に使用される線型用量カートリッジマガジンを例示する概略図である。
【図１２】いくつかの実施形態に係る、対応する複数の抽出空気流管の中の複数の用量カートリッジクランプチャンバからの物質を同時に投与するための吸入器内に配置されたカルーセルを例示する概略図である。
【図１３Ａ−１３Ｂ】いくつかの実施形態に係る、２つの連続位置における線型用量カートリッジマガジンおよび２重用量カートリッジ輸送部を例示する概略図である。
【図１３Ｃ−１３Ｃ】いくつかの実施形態に係る、２つの連続位置における図１３Ａおよび図１３Ｂの２重用量カートリッジ輸送部を例示する概略図である。
【発明を実施するための形態】
【００９４】
本発明のいくつかの実施形態において、本発明は、個人用吸入装置を使用した物質の肺送達に関し、より具体的には調剤および投与するための取扱いに関するが、これらに限定されない。
【００９５】
＜概説＞
いくつかの実施形態の一態様は、加熱気化される原薬を、一体化された加熱要素を提供するカートリッジに合わせて加工および包装することに関する。
【００９６】
いくつかの実施形態では、加熱気化される原薬は、少なくとも１つの薬効および／または身体的効果および／または精神活性作用を有する化合物を含む。この化合物は任意選択的に、ＴＨＣおよび／またはニコチンを含む。いくつかの実施形態では、加熱気化される原薬は、外気温を超える温度に達するための相当な外因的入熱が必要な温度で気化する。原薬は例えば、８０℃〜２５０℃の範囲内、または同じ、より高い、より低い、および／または中間の限度を有する他の範囲内の温度で気化する。いくつかの実施形態では、原薬は、８０℃、１００℃、１５０℃、２００℃、２３０℃、または、他のより高い温度、より低い温度、もしくは中間の温度を超える温度で気化する。いくつかの実施形態では、揮発温度に達する時間は例えば、約１００ｍｓｅｃ〜約５ｓｅｃ、約１００ｍｓｅｃ〜約７５０ｍｓｅｃ、約１５０ｍｓｅｃ〜約３００ｍｓｅｃの範囲内、または同じ、より大きい、より小さい、および／もしくは中間の限度を有する範囲内である。特に、上記時間は例えば、２５０ｍｓｅｃ、５００ｍｓｅｃ、１０００ｍｓｅｃ、または他のより大きい、より小さい、もしくは中間の値である。
【００９７】
いくつかの実施形態では、加熱気化される原薬は、キャリア材料を含むパレット全体に分配される揮発性物質である。キャリア材料は任意選択的に、大麻、タバコ、および／または他の植物等の少なくとも１種類の植物性物質を含む。キャリア材料は追加的または代替的に、加熱気化される原薬を吸収して適所に固定する多孔質の通気性吸収性マトリックス（例えば、発泡体、スポンジ、フェルト、および／または他の繊維マトリックス）を含む。いくつかの実施形態では、吸収性マトリックスは、実質的に砕けにくく、例えば、吸収性マトリックスの表面および／または構造の完全性を保存するために追加的な機械的支持体を必要とすることなく吸収性マトリックスに、または吸収性マトリックス内に加熱要素等の他の薬物カートリッジコンポーネントを直接取り付けることができるだけの十分な強度を提供している。いくつかの実施形態では、パレットは砕けやすく、例えば、圧縮されてパレットを形成する顆粒、繊維、または他の微細構造を含む。
【００９８】
いくつかの実施形態では、加熱要素は、電気抵抗加熱要素である。電気抵抗加熱要素は任意選択的に、金属（例えば、ニクロム、ＦｅＣｒＡｌ、白銅、チタン、および／またはステンレス鋼）からなるか、または金属を含む。加熱要素は任意選択的に、加熱気化される原薬と熱的に接触して包装されている。例えば、熱的接触には、直接的接触、または高い転移率の熱転移が可能な熱伝達層（例えば、銅、アルミニウム、真鍮、もしくは鉄等の高い熱伝導性の材料を含む層、および／または約１０μｍ、約２０μｍ、約２５μｍ、約５０μｍ、もしくは他のより大きい、より小さい、もしくは中間の厚さの薄壁構造を有する層）を介した接触が含まれる。いくつかの実施形態では、熱的接触には、パレットが加熱要素の、パレットの上に重なっている部分の熱放射角のほぼ全体と向かい合う、パレットと加熱要素との十分近接した並置（例えば、９０％、９５％、９９％、または他のより大きい、より小さい、もしくは中間の値を超える近接した並置）が含まれる。いくつかの実施形態では、電極に印加されるピーク電流は、約１アンペア〜約１０アンペアの範囲内（例えば、約１アンペアの、約２アンペアの、約４アンペアの、約６アンペアの、または他のより高い、より低い、もしくは中間の電流）である。
【００９９】
いくつかの実施形態では、熱的接触は、パレットの１つ以上の表面（例えば、パレットの１つの面、または２つの対向する表面積が最大の面）を横切って、かつそのような表面に接触して伸長している加熱要素を含む。いくつかの実施形態では、熱的接触は、パレット内に少なくとも部分的に埋め込まれている加熱要素を含む。
【０１００】
いくつかの実施形態では、加熱要素は、空気を通過させる。いくつかの実施形態では、加熱要素は、空気を通過させる。通気性は例えば、吸入によって発生する吸込み圧力等の吸込み圧力下で、および／またはカートリッジの吸入側とは反対側で生じる陽圧下でパレットと加熱要素との加熱用組立体を外気温において空気が通過する条件下での通気性である。いくつかの実施形態では、印加される圧力は、５ｍｍＨｇ〜２０ｍｍＨｇ、１０ｍｍＨｇ〜２５ｍｍＨｇ、５ｍｍＨｇ〜３０ｍｍＨｇ、２５ｍｍＨｇ〜４０ｍｍＨｇ、３０ｍｍＨｇ〜５０ｍｍＨｇの範囲内、または同じ、より高い、より低い、および／もしくは中間の限度を有する他の範囲内である。いくつかの実施形態によれば、パレットは通気性構造を有しており、この構造によって、少なくとも１ｋＰａ〜５ｋＰａの減圧下（−１ｋＰａ〜−５ｋＰａ）で１分あたり少なくとも０．５リットルまたは１分あたり少なくとも１リットルものガスが流れることができる。いくつかの実施形態では、パレットは、包装された形でこの通気性を有する。いくつかの実施形態では、この通気性は例えば、パレットの構成物質の揮発、乾燥、溶融、および／または燃焼に起因して、パレットの加熱の際に達せられる。
【０１０１】
いくつかの実施形態では、加熱要素は約１８０°の屈曲を含んでおり、その結果、加熱要素は、パレットの少なくとも２つの面を包囲するクリップ形状および／またはＵ字形状として形成されている。
【０１０２】
カートリッジ上の加熱要素は任意選択的に、Ｕ字形状の２つの面の間で自己接触しないように位置決めされている。任意選択的に、用量部加熱用組立体による加熱要素への電流の印加は、Ｕ字形状の２つの端部（接触受入れ領域を含む端部）に対して、またはこれら２つの端部付近になされる。その結果、パレットの２つの面で同時に加熱が行われうる。いくつかの実施形態では、加熱要素への電流の印加は、カートリッジの一方または両方の面のパレットの片側または両側の接触受入れ領域に接続されることによってなされる。加熱要素は任意選択的に、２つ以上の部分に分割され、各部分が独立して電流を受け入れる。加熱要素は代替的に、一体成形品（任意選択的に、パレットを完全に包囲する成形品）として設けられ、パレットと熱的に接触している加熱要素の範囲に亘って電位差が生じるように加熱要素の接触受入れ領域に電極を当てることができる。
【０１０３】
いくつかの実施形態の一態様は、パレットおよび加熱要素に沿って支持部材を設けることに関する。
【０１０４】
いくつかの実施形態では、支持部材はフレーム、またはフレームの一部を備える。フレームは任意選択的に、パレットの材料を受け入れるための開口部（「用量部チャンバ」）を備える。いくつかの実施形態では、用量部チャンバの幅および長さに亘る表面積は、約２０ｍｍ２〜約１００ｍｍ２の範囲内（例えば、約２５ｍｍ２、約５０ｍｍ２、約６６ｍｍ２、約８０ｍｍ２、約１００ｍｍ２、または他のより大きい、より小さい、もしくは中間の表面積）である。いくつかの実施形態では、開口領域は、一方側に開いている。任意選択的に、開口領域が開いている側は、Ｕ字形状の加熱要素を設けることによって閉鎖される。
【０１０５】
いくつかの実施形態では、フレームの開口部の寸法は例えば、約６ｍｍ×約１０ｍｍであり、フレームは、例えば約０．５ｍｍまたは約１ｍｍの厚さの体積部を画定している。いくつかの実施形態では、パレットの厚さのパレットの平面の長辺または短辺に対する比は例えば、約１：５、約１：１０、約１：１２、約１：２０、または他のより大きい、より小さい、もしくは中間の比である。任意選択的に、開口部の面積は、約２０ｍｍ２〜約１００ｍｍ２の範囲内（例えば、２０ｍｍ２、４０ｍｍ２、５０ｍｍ２、６０ｍｍ２、８０ｍｍ２、または他のより大きい、より小さい、もしくは中間の正面面積）である。開口部の形状は任意選択的に、実質的に正方形（例えば、約８ｍｍ×約８ｍｍ）である。開口部は任意選択的に、例えば１：２、１：３、１：４、１：１０または他のより大きい、より小さい、もしくは中間の辺長比で引き延ばされている（例えば長方形である）。開口部の寸法は任意選択的に、例えば、約３０ｍｍ×約２ｍｍである。
【０１０６】
いくつかの実施形態では、支持部材は、パレットの一方または両方の扁平面を横切って伸長する構造間の接続部を備える。支持部材は例えば、少なくとも部分的にパレットの周囲にまたはパレットと並んで位置決めされており、また、１つ以上の他の構造が支持部材への取付け部分からパレットの扁平面を横切って伸長している。支持部材は任意選択的に、少なくとも部分的にパレット自体のボディ内を伸長している。任意選択的に、支持部材の少なくとも一方側は、電気抵抗加熱要素に、および／または空気流を通過させるがパレットの破片を保有するように構成された防壁部に取り付けられている。いくつかの実施形態では、支持部材は、パレット自体の一体的に保持されるための機械的完全性に依存することなくパレットの材料を封じ込める空間が画定されるようにさらなる支持構造および／または包囲構造を互いに関連付けることによって、壊れやすい可能性があるパレットを封じ込めるための潜在的利点を提供する。いくつかの実施形態では、支持部材は、パレットの１つ、２つ、３つ、または４つの面に沿って伸長している。任意選択的に、４つの面に沿って伸長するということは、包囲フレームを含み、４つ未満の面に沿って伸長するということは、任意選択的にチャンバの他の要素によって閉鎖される部分的開口フレームを含む。任意選択的に、１つの面に沿って伸長する支持部材には、カートリッジの要素が互いに結合される定着部（anchor）が含まれる。いくつかの実施形態では、支持部材は、パレットの任意の扁平面の２０％未満を被覆することによってパレットが空気流に露出されることを妨害しないようにする。いくつかの実施形態では、露出が妨害されるのは、３０％未満、１０％未満、５％未満、またはより大きい、より小さい、または中間の量である。
【０１０７】
いくつかの実施形態では、支持部材および／または開口部は、
・  カートリッジの最大寸法に対して再現可能な位置にパレットを位置決めする機能；
・  パレットに機械的安定性（例えば、１つ以上の縁部の支持、屈曲に抵抗する剛性、および／または定着）を提供する機能；
・  カートリッジと相互作用する形状の機械的要素によってカートリッジの輸送を可能にする取付け要素（例えば、掛止要素／定着要素および／または掛止面／定着面）を提供する機能；
・  加熱要素の２つの平行な面の間に絶縁体を設けて自己接触を防止する機能；および／または
・  加熱要素とカートリッジとの接着／定着／埋め込みのための表面領域および／またはかさ容積領域を提供する機能の１つ以上を実行する。
【０１０８】
いくつかの実施形態では、フレームおよび／または開口部の一般的機能には、用量部構造体（dose structure）の製造中の成形、および／または用量部（dose）を投与するための操作支援が含まれる。
【０１０９】
いくつかの実施形態では、パレットを形成している材料は砕けやすい。いくつかの実施形態では、パレットは例えば、粒状化された植物性物質等の小さい接着性粒子から形成されている。これは例えば、多孔性が向上する利点、および／または元の植物性物質の微細構造が維持される利点（したがって、原薬の劣化からの保護に役立ちうる利点）でありうる一方で、得られる構造は砕けやすくなる可能性がある。いくつかの実施形態では、維持される微細構造には、細胞壁、液胞膜、色素体膜、トリコーム毛および／もしくはトリコームヘッド、または、植物の他の微細構造、特に１種類以上の原薬を封入している植物の微細構造が１種類以上含まれる。いくつかの実施形態では、対象の微細構造（原薬を封入している微細構造）の少なくとも５０％が粒状化の際に保護される。いくつかの実施形態では、保護される対象の微細構造の比率は、少なくとも６０％、７０％、８０％、９０％、９５％、９９％、または他のより大きい、より小さい、もしくは中間の比率である。いくつかの実施形態では、パレットの材料は、一方または両方の面で多孔性支持構造（例えば、メッシュ、有孔膜、または他の構造）によって支持されている。支持構造は任意選択的に、十分多孔性であり、それにより空気の通過を可能にする一方で、砕けやすいパレットから粒子が失われることを依然として防止している。いくつかの実施形態では、パレット面支持構造は、加熱要素を含む。いくつかの実施形態では、パレット面支持構造には、高分子膜、織物（例えば、織られたメッシュ）、または他の平坦な、パレットの砕けやすい面を被覆する通気性支持構造が含まれる。いくつかの実施形態では、パレット面支持構造は、パレットと加熱要素との間に位置決めされている。任意選択的に、加熱要素は、パレットとパレット面支持構造との間に位置決めされている。
【０１１０】
いくつかの実施形態では、フレームは、揮発温度において実質的に耐熱性（例えば、非燃焼性、非溶融性、寸法安定性）があるポリマーまたはセラミックを含む。いくつかの実施形態では、ポリマーには例えば、液晶ポリマー（ＬＣＰ）、ポリエーテルエーテルケトン（ＰＥＥＫ）、Ｕｌｔｅｍ、Ｔｅｆｌｏｎ、Ｔｏｒｌｏｎ、Ａｍｏｄｅｌ、Ｒｙｔｏｎ、Ｆｏｒｔｏｎ、Ｘｙｄｅａｒ、Ｒａｄｅｌ、Ｕｄｅｌ、ポリプロピレン、Ｐｒｏｐｙｌｕｘ、ポリスルホン、ポリエーテルスルホン、アクリル、ＡＢＳ、ナイロン、ＰＬＡ、ポリベンゾイミマダゾール（polybenzimadazole）、ポリカーボネート、ポリエーテルイミド、ポリエチレン、ポリフェニレンオキサイド、ポリフェニレンサルファイド、ポリスチレン、ポリ塩化ビニル、１種以上の他の熱可塑性物質、および／または他のポリマー材料が含まれる。
【０１１１】
いくつかの実施形態では、掛止／定着要素は、用量部引出し部の輸送アームまたは他の用量部輸送機構に取り付けられる形状の取付け要素（例えば、輸送アームインターロック領域）を含む。
【０１１２】
いくつかの実施形態では、開口部を横切って伸長することによって、カートリッジから落下するパレット顆粒に対する防壁部を形成する加熱要素によって、パレットの粒状化部分は組立て後のカートリッジ内に閉じ込められている。いくつかの実施形態では、加熱要素は、加熱要素自体が開口部を閉鎖することなく開口部を横切って伸長している（例えば、巻かれているリボンの間に間隙を有するリボン状加熱要素が提供される）。いくつかの実施形態では、封じ込め防壁部（すなわち壁）として働く他の要素が設けられている。封じ込め防壁部は任意選択的に、加熱要素およびパレットを共に覆って、かつ／または加熱要素とパレットとの間に位置決めされている。
【０１１３】
いくつかの実施形態の一態様は、吸入器用用量カートリッジと組み立てられるパレットの形の薬物用量装填物（drug dose load）の製造方法に関する。
【０１１４】
いくつかの実施形態では、原薬を含有する粉末化または粒状化された定量の材料（例えば、粒状化された植物性物質が含まれる）が用量部チャンバに配置される。いくつかの実施形態では、定量とは例えば、約１０ｍｇ〜約１００ｍｇの範囲内である。いくつかの実施形態では、用量部チャンバの大きさは、用量部パレットの広がりが、形成時に用量部チャンバの境界（例えば、パレットの幅および長さの境界）によって制限されるように設定される。
【０１１５】
いくつかの実施形態では、粒状化された定量の物質を、用量部チャンバの振動によって平らにする。任意選択的に、振動は、約０．１ｍｍ〜約１．２ｍｍの範囲内（例えば、０．５ｍｍ）の振幅で行われる。振動の周波数は例えば、約２０Ｈｚ〜約３００Ｈｚの範囲内（例えば、３０Ｈｚ、４５Ｈｚ、６０Ｈｚ、７５Ｈｚ、または他のより高い、より低い、もしくは中間の周波数）である。振盪時間は例えば、１００ｍｓｅｃ〜１１００ｍｓｅｃの範囲内（例えば、約３００ｍｓｅｃ、約４００ｍｓｅｃ、約５００ｍｓｅｃ、約８００ｍｓｅｃ、または他のより長い、より短い、もしくは中間の時間）から選択される。チャンバは任意選択的に、粒状体がチャンバの底からこぼれないように振動前に閉じられる。
【０１１６】
いくつかの実施形態では、定量の粒状物質を平らにすることには、剛性部材（例えば、ブレード）を使用して用量カートリッジの上面を掃拭することが含まれる。粒状物質は任意選択的に、剛性部材（例えば、ブレード）を使用して粒状物質を適所において平らにされる前に負圧を印加することによって用量部チャンバに引き入れられる。
【０１１７】
いくつかの実施形態では、パレットは、平らにされた粒状体から押圧要素による圧縮によって形成されている。圧縮は例えば、分配された粒状体の塊の圧縮前の厚さの１０％〜５０％の範囲内の厚さまで行われる。圧縮は例えば、分配された粒状体の塊の圧縮前の厚さの約１５％、約２０％、約３０％、約４０％、または他のより大きい、より小さい、もしくは中間の値まで行われる。いくつかの実施形態では、粒状体は、圧縮されて約２００μｍ〜約１５００μｍの範囲内の厚さ、または同じ、より大きい、より小さい、および／もしくは中間の限度を有する他の範囲内の厚さのパレットを成す。
【０１１８】
追加的または代替的に、パレットの形成には、平らにした粒状体層の上方に用量カートリッジを配置し、用量カートリッジ直下に位置決めされた粒状体材料を負圧を使用して引き上げることが含まれる。
【０１１９】
いくつかの実施形態では、単一の用量カートリッジのために、平らにすることおよび／またはパレット形成オプションが２種類以上利用される。
【０１２０】
いくつかの実施形態の一態様は、加熱要素を活性化する一方で、気化した原薬の揮発性成分を物質送達チャネルに閉じ込めるクランプチャンバ内に、加熱気化される原薬を一体型加熱要素と共に収容するカートリッジを位置決めすることに関する。
【０１２１】
いくつかの実施形態では、位置決めは、カートリッジをコースに沿って移動する（例えば、カートリッジ輸送機構によって）ことによって行われる。いくつかの実施形態では、チャンバは、少なくとも１つの構造を備えており、この構造は、カートリッジの片側または両側を包囲して、画定される内腔内にカートリッジを密封し、かつ／またはカートリッジの加熱要素と電気接触する。任意選択的に、電気接触はカートリッジの一方または両方の面で行われる。電気接触は任意選択的に、カートリッジの吸入装置の電極に対する位置決めによって定まる箇所においてカートリッジの面でなされる。任意選択的に、コンタクトパッドが、加熱要素との電気接触のために加熱要素から伸長する。電極および用量カートリッジは任意選択的に、気化した材料の全てが上記内腔の内部に閉じ込められる一方で、電極およびカートリッジの接触子が密封された内腔の外側にあるように位置決めされる。
【０１２２】
いくつかの実施形態の一態様は、物質気化装置と共に使用されるカートリッジ容器であって、物質気化装置は、交互に、
・  用量カートリッジを物質気化装置に受け入れるためにカートリッジ容器に取り付けられ、また、
・  用量部を投与するためにカートリッジ容器（マガジン）から取り外される、カートリッジ容器に関する。
【０１２３】
いくつかの実施形態では、取外し可能な原薬気化装置は、用量カートリッジの分配を制御するためのインターロック機構の一部として使用されている。例えば、いくつかの実施形態では、原薬気化装置は、先に抜き出されたカートリッジが分配容器に返還されるまで新しい用量カートリッジの抜出しを防止するインターロックを有効にする一部分として使用されている。
【０１２４】
本明細書において「用量カートリッジ」という用語は、限られた回数使用される（通常、１回使用される、または短時間の吸入セッション中に限定して使用される）ことが意図された組立体であって、少なくとも１種類の原薬を収容する材料（例えば、植物性物質）を含み、かつ原薬の輸送、機械的安定化、および／または揮発もしくは気化（例えば、加熱による）のための追加要素を任意選択的に含む、組立体をいう。いくつかの実施形態では、薬物用量カートリッジは例えば、わずか１回、２回、３回、または４回の吸入で送達される原薬材料を含む。原薬を含み（かつ／または原薬が添加され）、かつ用量カートリッジ内に配置された材料（任意選択的に、植物性物質）を、本明細書において「薬剤用量部」、「薬物用量装填物」、または「パレット」という。「パレット」は特に、原薬抽出のために用量カートリッジを通して空気を引き寄せるのに適切であるように、扁平な用量カートリッジ内にまたは扁平な用量カートリッジとして配置されている、薬剤用量部を意味するように使用される。パレットには例えば、扁平に広がった多孔性材料であって、空気流が２つの最大の面の間を通ることができるのに十分な薄さの多孔性材料が含まれる。本明細書において「原薬」という用語は、使用者によってパレットから吸引されるようにパレット内に含有され、かつ／またはパレットに関連付けられた加熱気化される１種類以上の原薬を意味する。
【０１２５】
本発明の少なくとも１つの実施形態を詳細に説明する前に、本発明がその用途において、以下の説明に記載されかつ／または図面に例示された詳細なコンポーネントの構造および配置ならびに／または方法に必ずしも限定されないことを理解されたい。本発明は、他の実施形態、または様々な方法で実施もしくは実行されることを許容する。
＜一体型加熱要素を有する用量カートリッジ＞
ここで、いくつかの実施形態に係る、分解された用量カートリッジ２３００の概略図（図５Ａ）および組み立てられた用量カートリッジ２３００の概略図（図５Ｂ）である図５Ａおよび図５Ｂを参照する。また、いくつかの実施形態に係る、用量カートリッジ２３５０，２３６０，２３７０，２３８０，２３９０，２３９５の代替的構造を概略的に例示する図５Ｃ〜図５Ｍを参照する。図５Ｃ，５Ｅ，５Ｇ，５Ｊ，５Ｌは、分解された用量カートリッジを表す。図５Ｄ，５Ｆ，５Ｈ，５Ｋ，５Ｍは、組み立てられた用量カートリッジを表す。
【０１２６】
いくつかの実施形態では、原薬を含む薬剤用量部は、用量カートリッジ２３００の上に、および／または用量カートリッジ２３００内に組み立てられている。任意選択的に、カートリッジ２３００は、
・  任意選択的に急速気化するように形成された（例えば扁平化することによって形成された）薬物用量装填物２３０４；
・  薬物用量装填物２３０４のための機械的支持部（例えば、任意選択的にフレーム形状のハウジング２３０１内に包囲することによる支持）；
・  カートリッジ２３００の輸送を容易化するための取付け要素（例えば、顎状ラッチ（latch mandibles）２３０２）；および／または
・  薬物用量装填物２３０４の気化手段（例えば、電気抵抗加熱要素２３０６、任意選択的にメッシュ）を備える。
【０１２７】
上記要素の様々な実施形態の例を、これら要素の少なくとも１つが不足している組み立てられた用量カートリッジの実施形態の例と同様に本明細書において説明する。様々な要素の実施形態が任意選択的に、他の組合せの、組み立てられた用量カートリッジの実施形態においても同様に組み合わせられる（例えば、任意のフレーム設計を備えた任意の加熱要素設計）ことが理解されよう。
【０１２８】
用量カートリッジは任意選択的に、使い捨て可能である。使い捨て可能なカートリッジの潜在的な利点としては、処分される薬剤用量部および／または原薬の残留物が封じ込められること；用量部支持部と輸送部とが密に一体化されて気化装置内での用量部の信頼性のある輸送が可能であること；および／または、気化装置（例えば、気化加熱要素）の、時間が経つにつれて性能を低下させうる状況に曝される部分を維持しかつ／または監視する必要が減少することが含まれる。
【０１２９】
任意選択的に、用量カートリッジは、１回の吸引の用途で使用される。使い捨てカートリッジの潜在的な利点としては、いくつかの、汚染および使用の際のダメージと関係するカートリッジが減少するため、吸入器の設定下で気化する原薬量の制御の正確性および／または信頼性が向上することが含まれる。
【０１３０】
いくつかの実施形態では、用量カートリッジ２３００は、薬剤用量部受入れチャンバ２３０３を有するハウジング２３０１を備える。ハウジング２３０１は任意選択的に、扁平化された細長いストリップを含む。一方、チャンバ２３０３は、ストリップによって囲まれている、または部分的に囲まれている開口部を含む。投薬のために用量カートリッジ２３００を作製する際、薬物用量装填物２３０４が受入れチャンバ２３０３に挿入される。薬剤用量部は任意選択的に、挿入前または挿入時に、薬剤用量部が物質受入れチャンバ２３０３の扁平形状に適合するように形成される。扁平なフォーマット（本明細書において「パレット」という）に保持されることは、薬剤用量部にとって潜在的な利点である。表面積が大きく、かつ／または厚さが均一であるほど、用量部の気化および送達の際により早く、より均等な分布の加熱および空気流が可能になりうるからである。
【０１３１】
いくつかの実施形態では、薬物用量装填物、すなわちパレットの寸法は例えば、露出している表面積が約６ｍｍ×約１０ｍｍであり、厚さが約１ｍｍである。薬物用量装填物の厚さは任意選択的に、約０．２ｍｍ〜約１．０ｍｍの範囲内、またはより大きい、より小さい、もしくは中間の厚さである。任意選択的に、薬物用量装填物の正面面積は、約２０ｍｍ２〜約１００ｍｍ２の範囲内（例えば、２０ｍｍ２、４０ｍｍ２、５０ｍｍ２、６０ｍｍ２、８０ｍｍ２、または他のより大きい、より小さい、もしくは中間の正面面積）である。物質装填物は任意選択的に、正方形または実質的に正方形のパレット（例えば、約８ｍｍ×約８ｍｍ×約１ｍｍ）として形成されている。パレットは任意選択的に、例えば１：２、１：３、１：４、１：１０または他のより大きい、より小さい、もしくは中間の辺長比で引き延ばされている。パレットの寸法は任意選択的に、例えば、約３０ｍｍ×約２ｍｍ×約１ｍｍである。対応する投薬装填物の重さはいくつかの実施形態では、約１５ｍｇである。いくつかの実施形態では、投薬装填物は、約１０ｍｇ〜約１００ｍｇの範囲内、または同じ、より大きい、より小さい、かつ／もしくは中間の限度を有する他の範囲内から選択される。
【０１３２】
より機械的安定性を増すために薬物用量装填物２３０４をフレームハウジング２３０１で少なくとも部分的に取り囲むことは、利点でありうる。例えば、薬剤用量部を形成するために使用される植物性物質は、砕けやすい材料を含みうる。その結果、薬物用量装填物２３０４は、特に屈曲しかつ／または激しく動かされる場合に粒子をこぼしやすい。薬物用量装填物２３０４はカートリッジフレーム内に包囲されることによって、応力が薬物用量装填物２３０４自体に直接印加されることなくシステム内を移動可能になり、かつ／または、任意選択的に、激しく動かされることによる影響を受けにくくなる。いくつかの実施形態では、カートリッジの全長および全幅は、約２０ｍｍ×約１０ｍｍ、または他のより大きい、より小さい、もしくは中間の大きさである。製造中、フレームハウジングは、空気が流れてパレット加熱時に放出される揮発性物質を拾い上げる導管を密着閉塞（fitted occlusion）する正確な大きさのパレットを形成するための利点になりうる。
【０１３３】
いくつかの実施形態では、十分な機械的安定性を実現するためにパレットを完全に取り囲む必要がないことを理解されたい。例えば、いくつかの実施形態（図５Ｅおよび図５Ｆ）では、薬物用量装填物２３０４は、Ｕ字形状のフレーム部２３６１によって画定される、側面が開口するチャンバ２３６３に配置される。これにより可能性として、フレーム部２３６１の開口側面からカートリッジ２３６０に薬物用量装填物２３０４の材料を詰めることができる。可能性として、Ｕ字形状のフレームによって、製造時のフレーム自体の成形および／または離型が簡略化されかつ／または加速される。いくつかの実施形態では、開口側面は例えば、抵抗加熱要素２３０６、通気性オーバーレイ２３７５（任意選択的に、保有メッシュ（図５Ｇ））等の構造、または他の構造によって閉鎖される。
【０１３４】
いくつかの実施形態では、パレットの他の支持部が提供される。完全にフレームの無い例を、一例として図５のカートリッジ２３９０Ａに示す。この場合、フレーム２３９１Ａの広がり全体（任意選択的に、顎状ラッチ２３９２さえ含む）がパレットの材料によって設けられている。いくつかの実施形態では、パレットの材料は、調製時に十分安定しており、使用されるために追加的な機械的支持を必要としないか、または相対的にほとんど必要としない（例えば、パレットは、マガジンとクランプチャンバとの間での輸送時に完全な状態のままであるように圧縮される）。任意選択的に、パレット材料の少なくとも一部は、安定性を増すためにバインダーと混合される。パレットは任意選択的に、十分な安定性を有する一体的パレットであり、加熱気化される原薬を含むゲル、流体、または粉体を保持することに役立つ。
【０１３５】
いくつかの実施形態では、一体的なパレット／フレームは任意選択的に、複数のパレット材料、例えば、フレーム２３９１Ａの領域のフレーム材料（これは、活性物質を含んでいても、含んでいなくてもよい）、およびパレット領域２３９４Ａの放出される原薬を含有する材料で形成されている。追加的または代替的に、形成条件（例えば、圧縮詰め込みの度合い）は、パレットのフレーム部分と、パレットの原薬を放出する部分とで異なる。いくつかの実施形態では、原薬放出材料は例えば、パレット２３９３の中心付近の約６０ｍｍ２を被覆している。原薬放出材料は、原薬含有材料であって、例えばこの原薬含有材料内におよび／またはこの原薬含有材料と並んで位置している加熱要素２３０６による加熱に応じて原薬含有材料を放出する、材料である。いくつかの実施形態では、加熱要素２３０６もまた、機械的支持をもたらす。任意選択的に、パレット／フレーム組立体２３９３はまた、加熱要素２３０６の各部分間を電気的に絶縁する。加熱要素２３０６とパレット２３９３との取付けは例えば、使用時に安定した状態が維持されうる、本技術分野において既知の任意の方法であって、例えば、溶接、接着、コールドプレス、ホットプレス、および／またはピン留めを含む方法を用いて行われる。
【０１３６】
いくつかの実施形態（例えば、図５Ｍのカートリッジ２３９５）では、パレット２３９９には、流れの通気性を向上する穿孔部２３９８が備えられている。これは特に、フレームの無い、またはほとんどフレームの無いカートリッジの実施形態の潜在的利点である。用量カートリッジ２３９５のパレット２３９９は例えば、顎状ラッチ２３９６（これは任意選択的に、パレットの一体部分として形成される）およびＵ字形状の加熱要素２３０６（透明に描かれている）によってのみ境界が定められている。可能性としては、機械的な自己安定性を実現するために十分な濃度でパレット材料を詰めることによって、得られるパレットの通気性が低下し、それにより薬の揮発が阻害される。穿孔部２３９８は例えば、生理活性材料を詰める際に使用される工具類（例えば、金型）を用いてパレットを形成後に穿孔することで間隙を導入することによって、または他の方法によって設けられている。
【０１３７】
いくつかの実施形態では（図５Ｊ〜図５Ｋのカートリッジ２３９０）、顎状部２３９１は、放出される原薬を含む材料（例えば、１種類以上の植物性物質）のパレット２３９４に取り付けられた別個の部分（例えば、ポリマーまたは金属で製造される）として設けられている。いくつかの実施形態では、加熱要素２３０６または他の纏着構造が、追加的な機械的支持をもたらす。任意選択的に、パレット２３９４の顎状部２３９１への取付けには、接着剤の使用が含まれる。取付けには任意選択的に、機械的相互接続が含まれる。例えば、顎状部２３９１かパレット２３９４の一方がタブを有して形成され、他方がスロットを有するように形成され、かつ／または、パレット２３９４が周囲に形成される突出部（例えば、櫛の歯状）が顎状部２３９１に設けられる。
【０１３８】
いくつかの実施形態（例えば、図５Ｉに示す用量カートリッジ２３８０の断面）では、パレット２３０４を纏着する加熱要素２３８６が、加熱要素の２つの面が合わさる箇所の連結部分２３８１において溶接されている。可能性として、これにより、パレット２３０４に（および、特にフレームが無いかまたは部分的にフレームが無い実施形態のパレットに）追加的な機械的安定性がもたらされる。溶接２３８１によって、加熱要素２３８６の電気トポロジー（electrically conductive topology）が変化するため、電極２３３１は任意選択的に、加熱要素２３８６の両端部において（任意選択的に溶接領域２３８１自体と接触しているが、必ずしも接触しているわけではない）電気接触して配置されている。
【０１３９】
いくつかの実施形態では、薬剤用量部の一部（例えば、揮発性の部分）の気化には、電気抵抗加熱要素（メッシュ、または他の形の抵抗加熱要素）２３０６によって加熱することが含まれる。抵抗加熱要素は任意選択的に、実質的に電気抵抗性の発熱を示す材料を含む。この材料は例えば、ニクロム（典型的な抵抗が約１μΩｍ〜約１．５μΩｍ）、ＦｅＣｒＡｌ（典型的な抵抗が約１．４５μΩｍ）、ステンレス鋼（典型的な抵抗が約１０μΩｍ〜約１００μΩｍ）、タングステン（典型的な抵抗が約５２．８ｎΩｍ）、および／または白銅（典型的な抵抗が約１９μΩｍ〜約５０μΩｍ）である。金属の選択に従って、抵抗加熱要素の全抵抗が例えば約０．０５Ω〜約１Ω、約０．５Ω〜約２Ω、約０．１Ω〜約３Ω、約２Ω〜約４Ωの範囲内、または同じ、より大きい、より小さい、および／もしくは中間の限度を有する他の範囲内となるように、加熱要素の長さおよび幅、金属の厚さ、開口部の大きさ、ならびに／または開口部のパターン等のパラメータが調節される。
【０１４０】
任意選択的に、組立て中、抵抗加熱要素２３０６は、薬物用量装填物２３０４の１つ以上の面に重なる位置でハウジング２３０１に取り付けられる。抵抗加熱要素２３０６は例えば、背面２３０９Ａから伸長し、ハウジングの端部２３１１で折り返されて腹面２３０９Ｂに沿って伸長する。任意選択的に、抵抗加熱要素２３０６は、チャンバ２３０３内に収容された薬物用量装填物２３０４が加熱要素２３０６によって包囲されるようにチャンバ２３０３の周囲に伸長している。いくつかの実施形態では、抵抗加熱要素２３０６は、カートリッジ２３５０の各面に１つずつ配置される複数の別個のパネル（例えば、図５Ｃおよび図５Ｄのパネル２３５６および２３５６Ａ）を備える。パネルは任意選択的に、互いに電気接続されている。代替的に、各パネルは、個別に電気接続される。２つの面で薬物用量装填物２３０４（いくつかの実施形態で使用されている）を包囲する潜在的利点は、加熱要素２３０６に電流を印加した際の揮発の速さおよび／または均一性が増すことである。いくつかの実施形態では、包囲している一方のパネル２３５６のみが電気抵抗性要素であり、他方のパネル２３５６Ａは任意選択的に、機械的支持をもたらすメッシュまたは他の通気性構造（例えば、多孔性構造）である。
【０１４１】
いくつかの実施形態では、電気抵抗加熱要素２３５６，２３５６Ａが同時に操作される。いくつかの実施形態では、抵抗加熱要素は個別に操作される。これは例えば、２種類の異なる物質、および／または２回の連続した投与シーケンスでの１種類の物質を個別に制御および／または放出することができるようにする利点でありうる。例えば、第１の加熱要素（例えば、パネル）が第１の加熱要素直下の原薬を気化させる十分なエネルギーで、しかしながら、十分短時間で、または熱がパレット全体に達しないような加熱パターンで操作される。いくらか時間をずらして（任意選択的に、第１の加熱と重複して、または第１の加熱とは完全に別個に）、第２の加熱要素が操作される。これは可能性として、時間または温度に応じた異なる揮発特性を有する２種類の物質が放出される場合に（例えば、２つの異なるパレット材料から放出される場合に）有利である。２つの加熱プロファイルは任意選択的に、同時に気化する結果となるように調節される。追加的または代替的に、２種類の物質の気化の時間は、意図的にずらされる。例えば、香味剤または隠蔽剤を含む材料がパレットの最初に気化される加熱要素付近の箇所に配置され、次いでまもなく第２の材料が気化される（または、逆順）。これは例えば、不快でありうる味を隠蔽するため、使用者に進行中の気化状態に関して知らせるため、および／または他の方法で吸入の知覚経験を変更するための利点でありうる。任意選択的に、各電極は、パレットの面全体を加熱する。代替的に、各加熱要素は、気化熱がパレットの一部にのみ（任意選択的には、電極ごとに異なる部分に）発生するように形成されている。いくつかの実施形態では、１つの加熱要素が物質を、活性物質の放出温度未満の閾値まで「予熱する」ことに使用され、第２の加熱要素が放出そのものを実現するために活性化される。可能性として、予熱に次いで放出用の加熱を行うことによって、物質が放出される時間が短縮され、かつ／または放出時の濃度が高められる。これは可能性として、肺に達する物質量を増加すること、および／またはより狭い選択呼吸深度に合わせた放出を目標として設定することの助けとなる。
【０１４２】
いくつかの実施形態では、少なくとも１つの加熱要素２３０６が薬物用量装填物（パレット）２３０４内に完全にまたは部分的に埋め込まれている（例えば、図５Ｇおよび図５Ｈにも同様に示されている）。任意選択的に、加熱要素２３０６は、ハウジング２３０１のフレーム内に部分的にまたは完全に埋め込まれている。ハウジング２３０１は例えば、最初から加熱要素を適所に有して成形され、かつ／または加熱要素２３０６は、他の製造段階において高温下で適所に押圧されている。任意選択的に、個別または同時の操作を可能にするように任意選択的に配置される電気接触子を有する複数の加熱要素２３０６が薬物用量装填物（パレット）２３０４内に完全にまたは部分的に埋め込まれている。
【０１４３】
いくつかの実施形態では、抵抗加熱要素２３０６および／または通気性オーバーレイ２３７５の開放部分（開口部）の閉鎖部分（メッシュまたは他の材料）に対する表面積の比は、約１：１（５０％）〜約１：３（３３％）の間である。いくつかの実施形態では、上記比は、約１０％〜約２０％、約２０％〜約４０％、約３０％〜約５０％、約４０％〜約７０％、約６０％〜約８０％、約７０％〜約９０％の範囲内、または同じ、より大きい、より小さいおよび／もしくは中間の限度を有する他の範囲内である。いくつかの実施形態では、メッシュの開口部は、約２５μｍ、約３２μｍ、約５０μｍ、約７５μｍ、約１００μｍ、約２００μｍ、約３００μｍ〜約７５０μｍの範囲内、約７００μｍ〜約１２００μｍの範囲内、または他のより大きい、より小さい、もしくは中間の範囲内である。任意選択的に、少なくとも２つの開口部の大きさおよび／または形状が異なる。
【０１４４】
図５Ｇおよび図５Ｈは、フレーム２３７１に埋め込まれた加熱要素２３７６を備えるカートリッジ２３７０の他の実施形態を表す。いくつかの実施形態では、加熱要素２３７６は、複数の電極パッド２３７７の間に配置された発熱セクション２３７８を備える。組立て後の用量カートリッジにおいて、発熱セクション２３７８は、チャンバ２３０３を横切ってまたはチャンバ２３０３内に伸長し、かつパレット２３０４を横切ってまたはパレット２３０４を貫通して伸長している。例えば、パレット２３０４は任意選択的に、固まっていない材料を加熱要素２３７６の周囲の適所に押圧して埋め込むことによって形成されている。任意選択的に、フレーム２３７１は、電極パッド２３７７を受け入れる１つ以上の凹部２３７７Ａを備える。いくつかの実施形態では、カートリッジフレーム２３７１の少なくとも一方の面に亘って伸長している通気性オーバーレイ２３７５によってパレットのための追加的な機械的支持がもたらされる。オーバーレイ２３７５は任意選択的に、ガスが流れることができるポリマーメッシュまたは他の構造を備える。
【０１４５】
いくつかの実施形態では、加熱要素２３７６の発熱セクション２３７８は、電極パッド２３７７への接続においてチャンバ２３０３を１回以上横切るワイヤとして形成されている。いくつかの実施形態では、発熱セクション２３７８は、メッシュ、リボン、または他の形状を備える。いくつかの実施形態では、発熱セクション２３７８は、複数の部分（支線、層、または他の分割部分）に分割されている。いくつかの実施形態では、発熱セクション２３７８は、放出される原薬を含有するパレットの実質的に全ての部分の近く（例えば、１ｍｍ以内、２ｍｍ以内、または他のより大きい、もしくはより小さい距離の範囲内）を伸長している。これは、加熱時のより急速かつ／または均一な物質の放出を実現するための潜在的利点である。
【０１４６】
発熱セクション２３７８によって連結される以外は各電極接触子２３７７は互いに電気的に分離されているが、これら電極接触子２３７７は、発熱セクション２３７８自体が延びるコース等によっては、互いに物理的に離間して配置される必要はない。任意選択的に、電極接触子は例えば、チャンバ２３０３の同じ側または異なる側に配置されている。
【０１４７】
いくつかの実施形態では、抵抗加熱要素２３０６には、エッチングされた抵抗性の金属箔（例えば、エッチングによって連続的なリボンまたは他の形状とし、かつポリイミドおよび／またはシリコーンゴム等のポリマーによって裏張りされた金属箔）が含まれる。任意選択的に、裏張りされた抵抗性金属箔は、薬剤用量部の揮発の際に空気が流れることができるように裏張りを貫通して穿孔されている。いくつかの実施形態では、使用後の加熱要素を破壊する（加熱要素に適切な高さの電流を十分な時間送ることによって破壊する）方法を提供するために、例えば、追加コンポーネントとして、および／または意図的に薄く製造されたリボンの領域として、抵抗性金属箔にヒューズが追加されている。
【０１４８】
いくつかの実施形態では、抵抗加熱要素２３０６は、加熱要素がハウジングの材料に埋め込まれるように加熱要素をハウジングに（例えば、ハウジング領域２３０８において）押圧することによって、ハウジングが溶融しかつ／または軟化する十分な高さの温度を用いてカートリッジのハウジング２３０１に固着されている。これは例えば、熱可塑性物質を含むハウジングと共に使用される場合に特に適している。代替的に（例えば、ハウジングが熱硬化性ポリマーを含む場合）、コールドプレスによる連結が使用される。追加的または代替的に、加熱要素は、超音波溶接、クリンピング、接着、または他の連結方法によって固着されている。
【０１４９】
いくつかの実施形態では、ハウジングは、不活性の耐熱性材料を含む。いくつかの実施形態では、使用されるハウジング材料には例えば、液晶ポリマー（ＬＣＰ）、ポリエーテルエーテルケトン（ＰＥＥＫ）、Ｕｌｔｅｍ、Ｔｅｆｌｏｎ、Ｔｏｒｌｏｎ、Ａｍｏｄｅｌ、Ｒｙｔｏｎ、Ｆｏｒｔｏｎ、Ｘｙｄｅａｒ、Ｒａｄｅｌ、Ｕｄｅｌ、ポリプロピレン、Ｐｒｏｐｙｌｕｘ、ポリスルホン、ポリエーテルスルホン、アクリル、ＡＢＳ、ナイロン、ＰＬＡ、ポリベンゾイミマダゾール、ポリカーボネート、ポリエーテルイミド、ポリエチレン、ポリフェニレンオキサイド、ポリフェニレンサルファイド、ポリスチレン、ポリ塩化ビニル、他の熱可塑性物質、および／または他のポリマー材料が含まれる。いくつかの実施形態では、ハウジングは、非導電性材料および／または半導電性材料を含む。いくつかの実施形態では、ハウジングは、任意選択的に、例えば陽極酸化コーティング等の絶縁層によって抵抗加熱要素から電気的に絶縁された導電性材料（例えば、アルミニウム）を含む。
【０１５０】
ＬＣＰおよび／またはＰＥＥＫの潜在的利点は、カートリッジの中に保持される物質を気化させるのに必要な温度よりも高い温度に対する良好な耐熱性である。いくつかの実施形態では、加熱要素とハウジングとのボンディングは、約２８０℃の温度（あるいは、ＬＣＰまたはＰＥＥＫを溶融および／または軟化するのに十分な高さの他の温度）で行われる。ＬＣＰおよびＰＥＥＫは、より低い温度（例えば、約２３０℃の気化温度）での良好な熱的安定性という潜在的利点を提供する。
【０１５１】
いくつかの実施形態では、任意選択的に非導電性の分離部（separator）が設けられた導電性または半導電性のハウジング材料が使用されている。ハウジング材料は例えば、陽極酸化アルミニウムを含む。
【０１５２】
個々の用量カートリッジのそれぞれに電気抵抗加熱要素２３０６等の加熱要素を設ける潜在的利点は、各使用時の性能を均一にすることである。可能性として、加熱される化合物の加熱要素が接触する部分は、冷却後の加熱要素に貼り付いたままである。これが蓄積されることで気化性能に影響する可能性がある。遠隔加熱（例えば、放射線および／または間接的伝導による加熱）の場合、接触電極による直接的な伝導加熱に比して相対的に高い熱慣性を有する（より大きな加熱電力を要する）システムが製造されうる。接触電極が汚染される課題は、使い捨ての設計により取り除かれる。加熱の要件が低下することによって、安全性および／または装置寿命が増す可能性がある。また、可能性として、加熱の要件が低下することによって、電力送達に関する要請が低下する。それにより、携帯性が向上し、充電の持ちが長くなり、かつ／または低コスト化された実施形態（例えば、電池式の加熱要素を有するシステムの場合）が可能になる。
【０１５３】
いくつかの実施形態では、カートリッジ２３００は、カートリッジの輸送に使用される係止部材を備える。係止部材は例えば、顎状ラッチ２３０３を含む。係止によって、気化装置の輸送機構の１つ以上の対応する部材による係合が可能になり、カートリッジを緊締および／または移動することができる。カートリッジの移動および／または望ましくない移動を防止する緊締は、カートリッジのライフサイクルの中で行われうる。ライフサイクルとは例えば、カートリッジが、使用されるために配置された複数のカートリッジを備えるカートリッジ列の中に配置されるとき、カートリッジが列の中で前進するとき、カートリッジが使用されるために選択されるとき、カートリッジが使用されるための位置に移動されるとき、カートリッジが実際に使用されているとき、および／またはカートリッジが廃棄されるとき、もしくは、代替的にカートリッジ列の「使用済み」位置に移動されるときをいう。
【０１５４】
いくつかの実施形態では、用量カートリッジ２３００には、用量部を取り囲む、またはほぼ取り囲む加熱要素の材料を任意選択的に含む多孔性の扁平カプセルによって用量部が実質的に封入されているボタンカートリッジが含まれる。多孔性カプセルは例えば、円形、正方形、長方形、長円形、または他の形状である。任意選択的に、ボタンカートリッジの輸送には例えば、カプセルの表面を押圧、牽引、および／もしくは挟持すること、ならびに／または磁石の操作（この場合、ボタンカートリッジは磁気的に影響を受ける材料を含む）が含まれる。いくつかの実施形態では、用量カートリッジ２３００（ボタンカートリッジ、または任意の他の用量カートリッジ）の少なくとも一部は、損耗および／もしくはパレットの体積部からの不均等な原薬放出を回避または減少するために、薬剤用量パレットの１つ以上の縁部に沿った十分な厚さを有する。例えば、用量カートリッジの側部支持部材は、安定した保持が可能な十分な大きさである一方で、実質的に薬剤用量パレットの全体が加熱されて原薬が放出され、原薬は空気流の流れの中に支障なく放散されることができる。
【０１５５】
いくつかの実施形態では、用量カートリッジ２３００は、薬剤用量部の物質によって取り囲まれた中心支持部材を備え、中心支持部材は、薬剤用量部の２つの面の間に橋架されて複数の多孔性パレット面支持体を相互接続している。用量カートリッジは例えば、スピンドルまたはリールフレームの形状であって、薬剤用量パレットの物質がスピンドルの芯の周りに詰められた形状を備える。任意選択的に、用量カートリッジの輸送および／または保持には、スピンドルの芯の操作が含まれ、スピンドルの芯は任意選択的に凹所になっており、この凹所は任意選択的に、用量カートリッジの少なくとも一方の面で開口している。
【０１５６】
＜植物性物質の粒状化＞
ここで、いくつかの実施形態に係る、吸入装置を用いて用量部パッケージの中で使用される粒状化した植物性物質を調製する方法の概略的なフローチャートである図１を参照する。また、ここで、いくつかの実施形態に係る、植物性物質のすりつぶし装置２２００の概略図である図３も参照する。また、ここで、いくつかの実施形態に係る、植物性物質のすりつぶしヘッド２２０４のすりつぶしプレート２２２０の概略図である図４も参照する。
【０１５７】
いくつかの実施形態では、薬物用量装填物２３０４の形成には、有機物質（例えば、植物性物質２２１２）の粒状化された中間形態２２１４を介して加工することが含まれる。粒状化によって、任意選択的に、薬物用量装填物２３０４の形状、構造、および／または濃度の制御が可能になる。粒状化の潜在的利点は、通気性の薬物用量装填物２３０４を通過するガス（例えば、加熱されたガス）に曝される粒子の表面積が増加することである。可能性としては、粒状化によって、用量部の量の再現性を高めるために薬物用量装填物の均質性を高めることができる。
【０１５８】
ブロック２００２において、いくつかの実施形態では、フローチャートが開始され、用量部の調剤に使用される植物性物質が受け取られる。いくつかの実施形態では、植物性物質には大麻が含まれ、任意選択的には、特に大麻の花が含まれる。いくつかの実施形態によれば、用量部の調剤に使用されるために受け取られる植物性物質には、カンナビス・サティバ、カンナビス・インディカ、カンナビス・ルデラリス、アカシア属植物、ベニテングタケ、ヤヘー、ベラドンナ、ビンロウ、ブルグマンシア属植物、ニオイバンマツリ、ハイクサネム、バニステリオプシス・カーピ、トリコケレウス属植物、カカオ、トウガラシ属植物、キチョウジ属植物、コカ、コリウス、ダンチク、アラビカコーヒーノキ、チョウセンアサガオ属植物、デスフォンタイニア属植物、ディプロプテリス・カブレラナ、シナマオウ、バッカクキン、ガラナ、オオバアサガオ、ヒヨス、イボガ、ラゴキルス・イネブリアンス、ジャスティシア・ペクトラリス、カンナ、カヴァ、アラビアチャノキ、ミトラガイナ・スペシオーサ、カエンキセワタ、スイレン属植物、ハス属植物、テキサスマウンテンローレル、ムクナ、マンドレイク、ミモサ・テヌイフローラ、キバナハマヒルガオ、シビレタケ属、ヒカゲタケ属、ナツメグ、タービナ・コリボサ、チャボトケイソウ、ウバタマ、クサヨシ属植物、ピチュリ、ケシ、サイコトリア・ビリディス、サルビア・ディビノラム、シクンシ科植物、トリコセレウス・パチャノイ、シニクイチ、スリーピーグラス、ソランドラ属植物、セイヨウオトギリ、ペガヌム・ハルマラ、サンユウカ属植物、チャノキ、タバコ、ニコチアナ・ルスティカ、エペナ、ボアカンガ・アフリカーナ、ワイルドレタス、ニガヨモギ、イェルバ・マテ、アナデナンテラ属植物、コリナンテ・ヨヒンベ、カレア・ザカテチチ、コーヒーノキ属植物（アカネ科）、ムクロジ科植物、ツバキ属植物、アオイ科植物、モチノキ科植物、フーディア属植物、カモミール、チャボトケイソウ、チャノキ、セイヨウハッカ、ミドリハッカ、ヨーロッパキイチゴ、ユーカリプタス・グロブルス、ラバンデュラ・オフィシナリス、タチジャコウソウ、コウスイハッカ、タバコ、アロエベラ、アンゼリカ、アニス、アヤワスカ（バニステリオプシス・カーピ）、メギ、ブラック・ホアハウンド、ブルーロータス、ゴボウ、カモミール、ヒメウイキョウ、キャッツクロー、クローブ、ヒレハリソウ、トウモロコシの毛、シバムギ、ダミアナ、ダミアナ、タンポポ、マオウ、ユーカリ、マツヨイグサ、ウイキョウ、ナツシロギク、アメリカヒトツバタゴ、ニンニク、ショウガ、イチョウ、チョウセンニンジン、アキノキリンソウ、ヒドラスチス、ツボクサ、緑茶、ガラナ、サンザシ、ホップ、トクサ、ヤナギハッカ、コーラ・ナッツ、クラトン、ラベンダー、コウスイハッカ、カンゾウ、ライオンズテール／ワイルドダッガ、マカの根、ウスベニタチアオイ、セイヨウナツユキソウ、マリアアザミ、セイヨウメハジキ、パッションフラワー、トケイソウ、ペパーミント、アザミゲシ、スベリヒユ、キイチゴの葉、ヒナゲシ、ヤクヨウサルビア、ノコギリヤシ、マルバキンゴジカ、シニクイチ（マヤのサンオープナー）、スペアミント、ショウブ、シリアン・ルー（ペガヌム・ハルマラ）、タイム、ウコン、セイヨウカノコソウ、野生ヤマノイモ、ヨモギ、ノコギリソウ、イェルバ・マテ、およびヨヒンベの例えば１種類以上を含む植物の全体または一部が含まれる。植物性物質を投与することには任意選択的に、上記リストの植物材料および／または他の植物材料の任意の組合せが含まれる。
【０１５９】
植物性物質のすりつぶしについて、例示を目的としてグラインダ２２００の使用に関連して説明する。いくつかの実施形態では、薬物用量装填物を形成するために十分小さいサイズでありかつ十分均一な粒子を製造可能な他のグラインダが使用されることを理解されたい。グラインダは任意選択的に、植物性物質の微細な植物構造に大きなダメージを与えることなく（例えば大麻植物のトリコームを破裂させることおよび／または破壊することなく）粒子を製造することができる。
【０１６０】
ブロック２００４において、いくつかの実施形態では、植物性物質２２１２をふるい分けチャンバに配置する。ふるい分けチャンバは、メッシュまたは他の穿孔面２２０６を備え、穿孔の大きさは例えば、約５００μｍである。任意選択的に、孔の大きさは例えば、約２５０μｍ〜約４００μｍ、約３５０μｍ〜約６００μｍ、約５００μｍ〜約７００μｍ、約６５０μｍ〜約９００μｍ、約８００μｍ〜約１０００μｍ、または同じ、より大きい、より小さい、および／もしくは中間の限度を有する他の孔の大きさの範囲である。
【０１６１】
ブロック２００６および２００８において、いくつかの実施形態では、任意選択的に吸湿性物質２２０８と一緒に、ふるいがグラインダボディ２２０２の中に配置される。吸湿性物質２２０８は、顆粒２２１４の水分管理の助けとなる（例えば、粒状化された材料の自己接着性および用量の相対的な重量パーセント濃度等の、一貫した範囲の諸性質を得る助けとなる）。可能性として、吸湿性物質２２０８は、すりつぶしプロセスの低温段階において無制限に霜が形成されることを防止する助けとなる。
【０１６２】
ブロック２０１０において、いくつかの実施形態では、グラインダ２２００を冷却する。冷却では任意選択的に、例えば−５０℃〜−１８０℃の範囲の温度まで低温流体２２１０が使用される。低温流体２２１０は任意選択的に、液体窒素、または目的の温度範囲にとって適切な他の低温流体である。
【０１６３】
ブロック２０１２において、いくつかの実施形態では、すりつぶしヘッド２２０４を回転させながら植物性物質の高さまで降下させ、粒子がさらにすりつぶされるように徐々にさらに降下させる。すりつぶしヘッドのすりつぶしプレート２２２０の例を図４に示す。すりつぶしプレート２２２０は、剛性突出部２２１６（凍結された植物性物質に対して押圧されるときに凍結された植物性物質を粉砕するように働く）を備える。任意選択的に、細かいブラシ２２１８がすりつぶされた材料の粒子をプレート全体に分散するように働き、その結果、十分な細かさまですりつぶされた粒子がふるい分け孔を通って受入れチャンバ２２１３内に落下する。
【０１６４】
ブロック２０１４および２０１６において、いくつかの実施形態では、グラインダを外気温に戻し、グラインダの閉鎖を解除し、かつふるいにかけられた粒状体を受け入れチャンバ２２１３から除去する。粒状体は、例えばＶ字形ミキサー、円形ミキサー、または他の均質化プロセスを使用することで均質化される。
＜用量カートリッジに合わせた植物性物質の包装＞
ここで、いくつかの実施形態に係る、吸入装置を用いて使用される用量カートリッジに合わせて植物性物質を包装する方法の概略的フローチャートである図２を参照する。
【０１６５】
いくつかの実施形態では、薬剤用量部を形成するための材料（例えば、図１に関連して説明した粒状化された材料）が、定量の材料をカートリッジの受入れチャンバ２３０３に押し込むプロセスによって用量カートリッジ２３００に組み込まれる。任意選択的に、押し込むプロセスは、選択した薄さ（薄い包装はより短時間で、かつ／または均等に加熱される）、および／または選択した密度（包装は気化の際に空気流の通過が可能であるように過度に密にすべきではない）が提供される程度まで行われる。
【０１６６】
ブロック２１０２において、いくつかの実施形態では、植物性粒状体のカートリッジの包装のためのフローチャートの第１の分岐フローが開始される。いくつかの実施形態では、包装領域の湿度および温度は、例えば温度２０℃および湿度３０％に管理される。いくつかの実施形態では、他の環境条件が使用される（例えば、可能性として、温度を約２０℃±５℃の範囲内、湿度を約３０％±１０％の範囲内とすることができる）ことを理解されたい。選択される温度度および湿度の変数は、選択されるものとして、一貫性のある投与を維持するために一貫性のある高さに設定されうる。また、選択される条件は、植物性粒状体が、うまく詰められないほど過度に乾燥せず、均等に分配されないほど過度に湿らないような条件にすべきである。
【０１６７】
定量の植物性粒状体が用量カートリッジハウジング２３０１の開口した受入れチャンバ２３０３に配置される。受入れチャンバ２３０３の一方側は任意選択的に、電気抵抗加熱要素２３０６によって閉鎖されている。電気抵抗加熱要素２３０６は任意選択的に、メッシュであるか、または粒状体を適所に保有する一方で空気が粒状体を通過することができるように穿孔された他の加熱要素である。代替的に、受入れチャンバ２３０３は、粒状体が容易に取り除かれる堅固で平坦な表面（例えば、ＰＴＦＥ等の相対的に低摩擦性のポリマー表面）に配置されている。受入れチャンバ２３０３は任意選択的に、粒状体を適所に保有しながら空気が粒状体を通過することができるように穿孔された薄い熱伝導性の底壁を備える。
【０１６８】
受入れチャンバ２３０３は任意選択的に、網状構成（ネット、メッシュ、または他の構造）を備えており、この網状構成は押圧時に（例えば、ブロック２１０６において）材料の定着部として役立つ。いくつかの実施形態では、任意選択的に、それ自体は加熱要素ではない網状構成または通気性保有要素が、用量カートリッジの外側に設けられ、空気の通過も可能にしながら受入れチャンバ２３０３の中のパレットを機械的に支持することに役立つ。
【０１６９】
計量される粒状体の量は任意選択的に、気化する部分の効能、濃度、および／または揮発性に応じて選択される。例えば、大麻の粒状体が使用される場合、定量とは任意選択的に１５ｍｇ、または１０ｍｇ〜２０ｍｇの範囲内の他の値である。任意選択的に、量の選択は例えば、包装に利用可能な植物性物質の植物品種、成長条件、および／または実験結果に依存する。いくつかの実施形態では、定量とは例えば、１ｍｇ〜２０ｍｇ、１０ｍｇ〜４０ｍｇ、２５ｍｇ〜７５ｍｇ、５０ｍｇ〜１００ｍｇの範囲内、または同じ、中間の、より大きい、もしくはより小さい限度を有する他の範囲内である。いくつかの実施形態では、例えば、必要な用量が物質受入れチャンバを充填するには少なすぎる場合、充填物質（例えば、不活性の（揮発性の薬物活性の無い）植物性物質の一部）が任意選択的に加えられる。充填材は任意選択的に、必要な用量と均一に混合される。
【０１７０】
ブロック２１０４において、いくつかの実施形態では、粒状体は、受入れチャンバ２３０３内に分配される。いくつかの実施形態では、分配には、ハウジング２３０１を水平にし（水平方向に平坦にハウジング２３０１を配置すること）、かつ／または内部に粒状体を有するハウジングを、チャンバ２３０３内に粒状物質の平らな平面が形成されるまで、垂直に振盪すること（例えば、カートリッジ２３００および／またはカートリッジハウジング２３０１が基礎にする表面を振動することによって）が含まれる。いくつかの実施形態では、振動は、約０．１ｍｍ〜約１．２ｍｍの範囲内（例えば、０．５ｍｍ）の振幅で行われる。振動の周波数は例えば、約２０Ｈｚ〜約３００Ｈｚの範囲内（例えば、３０Ｈｚ、４５Ｈｚ、６０Ｈｚ、７５Ｈｚ、または他のより高い、より低い、もしくは中間の周波数）である。振盪時間は例えば、１００ｍｓｅｃ〜１１００ｍｓｅｃの範囲内（例えば、約３００ｍｓｅｃ、約４００ｍｓｅｃ、約５００ｍｓｅｃ、約８００ｍｓｅｃ、または他のより長い、より短い、もしくは中間の時間）から選択される。チャンバは任意選択的に、粒状体がチャンバの底から漏れないように振動前に閉じられる。
【０１７１】
ブロック２１０６において、いくつかの実施形態では、粒状体はプレスを使用して圧縮される。プレスは任意選択的に、分配された粒状体の上まで垂直に降下して、この粒状体を圧縮された顆粒の小型パレット２３０４として形成する。圧縮は、例えば、分配された粒状体の塊の圧縮前の厚さの１０％〜５０％の範囲内の厚さまで行われる。圧縮は例えば、分配された粒状体の塊の圧縮前の厚さの約１５％、約２０％、約３０％、約４０％、または他のより大きい、より小さい、もしくは中間の値まで行われる。いくつかの実施形態では、粒状体は、圧縮されて約２００μｍ〜約１５００μｍの範囲内の厚さ、または同じ、より大きい、より小さい、および／もしくは中間の限度を有する他の範囲内の厚さのパレットを成す。
【０１７２】
ブロック２１０８において、いくつかの実施形態では、プレスを取り外す。いくつかの実施形態では、プレスは、カートリッジハウジング２３０１の表面を水平に滑動することによって取り外される。これにより可能性として、プレス工具に貼り付きうる粒状体残留物を、受入れチャンバ２３０３の縁部においてこそぎ落とすことが可能になる。任意選択的に、チャンバ内に圧縮された粒状体は圧縮により固定され、カートリッジの作製完了のために追加的に取り扱われる間、適所にとどまる。
【０１７３】
薬剤用量部受入れチャンバの他の充填方法もまた、以下において明らかになるように、別の実施形態として予定されている。
【０１７４】
例えば、ブロック２１１４において、いくつかの実施形態では、フローチャートの代替的分岐フローが開始される。カートリッジ２３００用の薬物用量装填物２３０４の、粒状体の押圧による形成の代替として、用量カートリッジのハウジング２３０１の物質受入れチャンバ２３０３の大きさに合わせて植物性物質テープの一部分が切り取られる。いくつかの実施形態では、植物性物質テープは例えば、特許文献２に記載されるように形成される。ブロック２１１６において、いくつかの実施形態では、切り取られたテープ部分は、物質受入れチャンバ２３０３に挿入される。
【０１７５】
また、例えばブロック２１１８において、いくつかの実施形態では、フローチャートの他の代替的分岐フローが開始される。任意選択的に、薬剤用量部を形成する原薬を含有する材料は、流体ならびに／またはゲル状抽出物、微粒子懸濁液、および／もしくは溶液として利用可能である。この場合、薬剤用量部受入れチャンバは任意選択的に、原薬含有材料を吸収して適所に固定する通気性部分（例えば、発泡体、スポンジ、フェルトもしくは他の繊維マトリックス、および／または他の多孔性構造）を備える。
【０１７６】
ブロック２１１０において、いくつかの実施形態では、３つの分岐フローの任意の１つが継続されている。抵抗加熱要素２３０６（例えばメッシュ、またはエッチングされた金属箔等の他の加熱要素）は例えば、ハウジングに押圧されかつハウジング材料の軟化および／または溶融によって２つの部分が融合されるまで加熱されることによってカートリッジハウジング２３０１に取り付けられる。取付けは任意選択的に、物質受入れチャンバ２３０３の一方または両方の面で行われる。いくつかの実施形態では、「Ｕ」字形状の加熱要素がカートリッジハウジング２３０１の周りを纏着してチャンバ２３０３の２つの面を、例えば「Ｕ」字の凹所内に包囲している。
＜用量カートリッジカルーセルおよび気化装置＞
ここで、いくつかの実施形態に係る、吸入装置と共に使用されるカルーセル型の用量部送達システム２３４０を例示する概略図である図６Ａ〜図６Ｅを参照する。
【０１７７】
いくつかの実施形態では、用量部送達システム２３４０は、包囲部２３２４によって被包された複数の用量カートリッジ２３００を保持するカルーセル２３２２と、用量部引出し部２３１４およびクランプチャンバ２３２０を備える吸入装置２３２１とを備える。カルーセル包囲部２３２４および吸入装置２３２１は、互いに取り付けられている。カルーセル２３２２は回転して、カルーセル内のカートリッジの位置順に、またはカルーセル２３２２の操作によって選択される他の順序で吸入装置２３２１にカートリッジを差し出す。カルーセル包囲部２３２４（およびその内容物）は任意選択的に、例えば用量が使い果たされたときにおよび／または投与の配合を変更するために新しい包囲部組立体と交換可能である。包囲部が収容する用量カートリッジの数は例えば、約１００個である。カートリッジの数は任意選択的に、１０個〜２００個の範囲内の他の数（例えば、１０個、４０個、８０個、１２０個、１８０個、もしくは２００個）または他のより大きいもしくはより小さい数である。いくつかの実施形態では、カルーセルの直径は例えば、収容されるカートリッジの数および大きさに応じて約７ｃｍ〜約１０ｃｍの範囲内、または他のより大きいもしくはより小さい直径である。カルーセル２３２２は任意選択的に、同一の用量部または複数の様々な用量部（例えば、様々な量、濃度、および／または物質の配合）を備える。カルーセルが用量カートリッジと共に使用可能なカートリッジ格納装置（マガジン）の唯一の形ではないことを理解されたい。例えば、用量カートリッジは、線型マガジン格納システム（例えば、図１１Ａ〜図１１Ｃに関連して説明される）内に格納されることができる。カルーセルの線型マガジンより優れた潜在的利点は、例えば投与計画を達成するため（すなわち、規定された順番の、用量カートリッジであって、各カートリッジが異なる物質および／または異なる量の物質および／または異なる物質比を有する用量カートリッジからの吸入剤を使用者に提供するため）、および／またはマガジンに用量カートリッジが既に装填された後で投与計画を調節するために、装填および／または抜取りの際に投与位置まで回転して選択可能にアクセスできることである。いくつかの実施形態では、カルーセル型マガジンでは、同様の数のカートリッジが収容される場合も線型マガジンに比して最長寸法が小さくなる。
【０１７８】
操作サイクルの一例では、用量部引出し部２３１４を吸入装置からカルーセル包囲部２３２４内まで伸長するように作動させる。この場合、用量部引出し部２３１４は、例えば顎状ラッチ２３０２によって用量カートリッジ２３００に取り付けられる。いくつかの実施形態では、用量部引出し部２３１４は、顎状ラッチ２３０２内の適所に「はめ込まれる」。いくつかの実施形態では、用量部引出し部２３１４は２つの部分を備え、この２つの部分は、顎状部２３０２によって画定される空間の両側を過ぎて横方向に移動し、次いで、この空間内で共に閉まる（可能性としては、はめ込みによる挿入方法よりも顎状部２３０２および／またはカートリッジ２３００にかける力は小さい）。さらなる動作によって、アクチュエータ、およびアクチュエータに取り付けられたカートリッジ２３００が挿入装置内に引き戻される。それにより、カートリッジ２３００の薬物用量装填物２３０４は、吸気口２３１２と連通するように引き寄せられる。用量部引出し部が作動アームによる輸送以外のモードで（例えば、用量部「押出し部」（カルーセルの体積部自体の中にばね懸架式部材等を備える）、および／または１つのマグネット（引出しモード）もしくは複数のマグネット（押出しモードまたは引出しモード）として）動作しうることを理解されたい。
【０１７９】
いくつかの実施形態では、クランプ部材２３１０Ａ，２３１０Ｂがカートリッジを締めることによって、電極が適所に配置されて用量部内の揮発性物質を気化するために用量部を加熱する。
【０１８０】
ここで、いくつかの実施形態に係る、吸入装置と共に使用される線型用量カートリッジマガジン１１００を例示する概略図である図１１Ａ〜図１１Ｃを参照する。図１１Ａは外観を表し、図１１Ｂはマガジンのハウジング１１１０を部分的に透明に表し、また、図１１Ｂはマガジン１１００を断面図で表す。
【０１８１】
いくつかの実施形態では、線型用量カートリッジマガジン１１００は、少なくとも１つのカートリッジアクセススロット１１０５を有するハウジング１１１０を備えており、このカートリッジアクセススロット１１０５を介して、例えば、アクセススロット１１０５の位置の、またはアクセススロット１１０５から突出している、またはアクセススロット１１０５内の顎状ラッチ２３０２を把持することによって用量カートリッジ２３００が分配される。ハウジング内の用量カートリッジ２３００は任意選択的に、ばね、ピストン、螺子、または他の機構によってハウジング１１００内の一方向または両方向に輸送される。いくつかの実施形態では、カートリッジの輸送は全体的または部分的に、カートリッジを引き抜く動作および／または置き換える動作によって駆動される。例えば、いくつかの実施形態では、カートリッジ２３００が第１のスロット１１０５から引き抜かれることによって、次の未使用のカートリッジが、選択される位置に進められる。いくつかの実施形態では、カートリッジ２３００が第２のスロット（任意選択的に、進めることを制御する追加機構がある場合、同じスロット１１０５）に返還されることによって、使用済みカートリッジ２３００のスタック（例えば、ばね懸架式スタック）が使用済みカートリッジレセプタクル格納領域内のより深くに押し込まれる。これにより、簡略性、安全性、および／または費用の点で潜在的利点がもたらされる。いくつかの実施形態では、カートリッジは任意選択的に、ハウジング１１１０内で電動制御下で輸送される（例えば、電動送りねじと接触している１つ以上のプレートによって押される）。電動制御の潜在的利点は、用量カートリッジへの非連続のおよび／または事前に設定されていないアクセスを可能にすることである（例えば、事前に規定した計画に従って、および／または動的に規定される用量カートリッジ計画に従って用量カートリッジを選択することができるようになる）。
【０１８２】
ここで、いくつかの実施形態に係る、用量カートリッジ２３００から気化した物質の加熱および送達のためのクランプチャンバ２３２０を例示する概略図である図７Ａおよび図７Ｂを参照する。また、いくつかの実施形態に係る、カートリッジ２３００を挟持しているクランプチャンバ２３２０の断面を例示する概略図である図７Ｃも参照する。
【０１８３】
いくつかの実施形態では、カートリッジ２３００は例えば、顎状ラッチ２３０２と係合している間に用量部引出し部２３１４の移動によってクランプチャンバ２３２０内に輸送される。
【０１８４】
いくつかの実施形態では、クランプチャンバ２３２０は、用量部の気化の際にカートリッジ２３００と係合する２つのクランプ部材２３１０Ａ，２３１０Ｂを備える。いくつかの実施形態では、クランプ２３１０Ａ，２３１０Ｂは、それぞれ、対応する電極２３３０Ａ，２３３０Ｂを収容しており、電極２３３０Ａ，２３３０Ｂは、カートリッジ２３００が収容する抵抗加熱要素２３０６または他の加熱要素と圧接するように位置決めされている。この場合、電極２３３０Ａ，２３３０Ｂは、電流を供給するために電源に電気接触している。いくつかの実施形態では、発熱は、電極２３３０Ａ，２３３０Ｂを通る電流を加熱要素２３０６経由に切り替えることによって達成される。薬物用量装填物の少なくとも１つの面（図示の例では２つの面）のほぼ全体に亘って伸長する抵抗加熱要素２３０６を通る経路を電流がたどるように、電極２３３０Ａ，２３３０Ｂは任意選択的に、抵抗加熱要素２３０６と接触するように位置決めされている。その結果、熱は装填物２３０４の表面に亘って均等に分配されて伝導されうる。
【０１８５】
いくつかの実施形態では、空気２３１５Ａの流れが吸気口２３１２を通過し、加熱された薬物用量装填物２３０４を通過し、通過する際に空気２３１５Ａは、原薬を帯びた空気２３１５Ｂになって排出開口部２３１２Ｂから出る。排出開口部２３１２Ｂは任意選択的に、気化した物質を使用者に送達するために経路を定めた管と流体連通している。クランプチャンバ２３１０Ａ，２３１０Ｂには任意選択的に、吸気口２３１２および排出口２３１２Ｂの一部が含まれる。これにより可能性として、クランプ部材２３１０Ａ，２３１０Ｂは、カートリッジ２３００を受け入れるために開口したり、カートリッジ２３００の周りの通気経路を密封するために閉じたりすることができる。その結果、気化した物質は、画定された通路に閉じ込められたまま維持される。いくつかの実施形態では、クランプ部材２３１０Ａ，２３１０Ｂは、エアシール２３１３を備え、エアシール２３１３はカートリッジ２３００の周りを閉鎖して、使用者に空気を送る経路に沿った物質の気化および／または空気流の移動以外の物質の気化および／または空気流の移動を実質的に防止する。エアシール２３１３は任意選択的に、ポリマーゴムのような弾性的に変形可能な材料を含む。いくつかの実施形態では、電極２３３０Ａ，２３３０Ｂはまた、パレット２３０４の気化部分を任意選択的にいくらか含む空気流からエアシール２３１３によって保護される。気化した材料から離れるように電極を閉じ込める潜在的利点は、電極の、繰り返して使用されることによる汚染を低減および／または防止することである。
【０１８６】
いくつかの実施形態では、電極２３３０Ａ，２３３０Ｂはブロック形状（例えば、図７Ａおよび図７Ｂに表されるようなブロック形状）であり、加熱要素との実質的に平らな接触面を提供する。いくつかの実施形態では、他の電極接触面形状が使用される。特に、ブレード状の接触面（長くかつ薄く、例えば０．５ｍｍ、０．３ｍｍ、０．１ｍｍ未満、または他のより大きい、より小さい、もしくは中間の大きさの薄い寸法を有する）、または湾曲接触面（例えば、少なくとも部分的に円形、楕円形、または他の湾曲断面を有する）が設けられる。任意選択的に、そのような形状を使用することによって接触面積を減らしてクランプ力を集中することで、クランプ圧が大きくなる。これにより可能性として、カートリッジとの電気接触領域において、電気接触の再現性が高まり、かつ／または電気抵抗（およびエネルギー損失）が低減される。例えば、いくつかの実施形態では、湾曲接触面電極の設計で使用される電極と加熱要素との約５００Ｎの接触力（および／または、例えば約７０Ｎ／ｍｍ２の圧力）によって、電気接触抵抗が実質的にゼロ（例えば、回路の全抵抗の１％未満）に低下することを発明者は発見した。いくつかの実施形態では、電気接触抵抗による電力損失が、例えば約１％未満である。特に、湾曲した（例えば、円筒状の）電極接触面の場合、低接触表面と、この表面下の頑強な機械的支持との組合せによって、再現可能な接触のための潜在的利点をもたらす。
【０１８７】
用量部送達後、カートリッジの取出しには、用量部引出し部２３１４を顎状ラッチ２３０２から外すこと（例えば、これら２つの部分の一方を、他方が随伴しないように抑止しながら動かすことによって、および／または２つの部分の一方を変形することによって外すこと）が含まれる。例えば、カートリッジ２３００が移動するスロットの大きさを制限することによってカートリッジ２３００の随伴を防止しながら引出し部２３１４をさらに後退させる。いくつかの実施形態では、引出し部を外した後、カートリッジを取り出す。例えば、カートリッジは、スロットから落下する、用量部引出し部２３１４の返還動作によって押される、かつ／または本装置の外に完全に輸送される。いくつかの実施形態では、カートリッジは、使用済み用量部としてカルーセル２３２２に（同じスロット、またはこのカートリッジが取り出されたスロットとは異なる他の利用可能なスロットに）返還される。これは任意選択的に、使用後まもなく、または使用直後に行われる。代替的に、カートリッジは、本装置の次の使用の枠内で取り出され、この場合、カルーセルも、次に使用されるカートリッジを差し出すために前進する。
【０１８８】
いくつかの実施形態では、カルーセルに装填された用量部へのアクセスは、カルーセル内の用量部の位置する順序に連続的に行われる。いくつかの実施形態では、用量部の順序は事前に設定されるが変更可能である。例えば、一定期間を通して投与するための様々な量の用量部が、カルーセルへの装填時に事前に設定した順序で配置される。いくつかの実施形態では、カルーセルの移動（前進）は、用量部の引出し動作および／または用量部の返還動作に機械的に結合された一連の動作に実質的に従っている。いくつかの実施形態では、カルーセルの移動（または、線型マガジン等の他のマガジンタイプでの用量カートリッジの選択）は、制御部（例えば、マイクロプロセッサによって制御されるステッピングモータまたは他の前進機構）の制御下で行われる。制御部は任意選択的に、どの用量部がどのスロット内にあるか、および／または用量部の状態を追跡する。任意選択的に、制御部は自動的におよび／またはコマンドを受けて適当なカートリッジを選択し、かつ引出し可能にするために必要な数のステップによって使用位置に前進させる。任意選択的に、この選択では、カルーセル（または他のマガジン構成）内のカートリッジへの順序通りではないアクセスが可能である。カルーセルまたは他のマガジンは任意選択的に、装置を作動させる使用者によって前進する。いくつかの実施形態では、２つ以上の使用位置があり（例えば、２つ以上のクランプチャンバが存在する）、制御部は、マガジンからマガジン内の任意の特定の位置のカートリッジの組合せを選択するように構成されている。いくつかの実施形態では、制御部は、投与計画の進捗に応じて用量部を選択する。例えば、第１の用量部が部分的にのみ投与された（例えば、吸入中に検知された問題によって）と測定される場合、制御部は任意選択的に、追加投与のために第２の部分用量部を選択する。追加的または代替的に、薬剤用量部の強度は、先行する用量部が投与されてから経過した時間に基づいて制御部によって選択される。これにより可能性としては、過剰投与を防止しうる制御を維持しながら、使用者による繰返しの投与が可能になる。
【０１８９】
いくつかの実施形態では、制御部は、単一の投与の一部として（例えば、単一セッションまたは短いインターバルで分けられた複数のセッションの単一投与の一部として）連続して行われる複数の吸入のために、マガジンまたは他のカートリッジ保持部から用量カートリッジ２３００を差し出すように構成されている。本装置は任意選択的に、行われるべき吸入回数を使用者に使用前に通知し、本装置が所定の投与計画に従って自動的にカートリッジを選択し、使用者は単に、指示に基づき本装置を用いて当該回数の吸入を行う。いくつかの実施形態では、使用者は、現在のひと続きの吸入において追加の用量が残っている限り促される（例えば、聴覚的または視覚的刺激によって）。制御部は任意選択的に、用量カートリッジが使用されるたびに自動的に用量カートリッジを置き換える。代替的に、使用者は、用量カートリッジの置き換え動作（例えば、吸込み口を移動するまたはボタンを押下する）を行うように促される。本装置では任意選択的に、各吸入の間に強いられるインターバルが最小限であるように構成されている。これは、ユーザがインターバル後の１回以上の吸入を不適切に行う可能性を減少するための潜在的利点である。例えば、各吸入および／または用量部交換の間、装置によって約２分〜約５分の最小限の時間が任意選択的に課される。追加的または代替的に、急速な一連の吸入（例えば、２秒未満または３秒未満の時間で分けられた一連の吸入）が、使用者にとって都合の良い限り速く（すなわち、最小限のインターバルを課すことなく）行われる。これにより、全体でかかる時間がより短い潜在的利点がもたらされる。任意選択的に、一連の吸入が使用者を義務的に休憩させかつ息切れを防止する必要がある長さである場合に１回以上の最小限のインターバル時間が課される。
【０１９０】
＜取外し可能な気化装置＞
ここで、いくつかの実施形態に係る、カルーセルから装填される用量部送達装置であって、用量部自体を送達するためにカルーセルから分離可能な用量部送達装置を例示する概略図である図８Ａおよび図８Ｂを参照する。
【０１９１】
いくつかの実施形態では、クランプチャンバ組立体２３２０が果たす機能は、分離可能な部分によって行われるため、クランプ／加熱／投与用の部分組立体が少なくとも使用者への用量部の投与のために、格納された用量部の引出し／輸送用の部分組立体の部分から分離可能である。いくつかの実施形態では、クランプ／加熱／投与用の組立体２４００は実質的に円筒状のボディ（例えば、シガレット、シガリロ、シガー、および／またはペンの形状）を備え、用量部の引出し／輸送用の組立体のレセプタクル内に挿入されている。組立体２４００は、滑動部機構２４１０もしくは輸送用組立体によって係合される他の構造を備え、かつ／または手動もしくは他の外部からの操作によって作動される。
【０１９２】
滑動部機構２４１０は任意選択的に、一例として用量部引出し部２３１４と関連して説明されるように、組立体２４００の吸気口端部２４４０から滑り出てカートリッジ２３００を係合部２４１５と係合する。任意選択的に、カートリッジ２３００（例えば、長く偏狭な薬物用量装填物２４０４）は、クランプ／加熱用の組立体内に引き入れられる。クランプ／加熱用の組立体は任意選択的に、抵抗加熱要素に押圧されて電気接触するために、ばね部材２４０７または他の手段で搭載された電極２４３０を備える。任意選択的に、加熱するための電力がワイヤ２４１４を介して電極２４３０に接続された電池２４１３によって供給される。電池２４１３は任意選択的に再充電可能である。電池２４１３は例えば、カルーセルと一体的に組み立てられた本体によって提供される電源から再充電される。任意選択的に、制御部（ボタン等）の操作によって加熱が開始され、かつ／または加熱には、１つ以上の自動的な有効化、調節、および／または連動制御（例えば、圧力の変化を検知した際の加熱、ならびに／または用量部送達の速度および／もしくは量を制御するための空気分路（air shunt）の開口）が適用される。用量部送達の際、端部２４５０を吸引することによってボディ２４２０を通して空気を（例えば、口を使って）引き寄せる。吸気口端部２４４０に引き寄せられた空気は、バッフル／導管２４０１，２４０８によって、加熱された薬物用量装填物２４０４を通過することを強制され、それにより端部２４５０まで気化した原薬を運ぶ。
【０１９３】
分離可能な設計の潜在的利点は、用量の投与の際に投与装置を扱うために使用者に必要な労力が減少することである。他の潜在的利点は、用量部の選択、管理、および制御の機能が投与自体から分離されることである。投与行為の分離によって、用量部制御のより臨床的な側面から電子タバコの心理学的効果に近い好ましい心理学的効果がある。
【０１９４】
いくつかの実施形態では、取外し可能なカートリッジは、複数の個別に加熱可能な領域を備える（例えば、様々な開口部、および／または個別に指定可能な複数の加熱要素が交差している開口部に材料が装填されている）。様々な装填物には任意選択的に、様々な物質が含まれる。例えば、任意選択的に、大麻装填物に次いで１つ以上のタバコ装填物、および／または異なる量のＴＨＣを含有するかもしくはＴＨＣを含有しない大麻装填物が続く。
【０１９５】
いくつかの実施形態では、アナログ回路論理および／またはデジタル回路論理を使用して、どの加熱要素領域が電流を受け取るのかが制御される。例えば、各加熱要素は任意選択的に、使用後に意図的に「燃焼される」（例えば、ヒューズ遮断によって）。適切に配置された検知回路が第１の使用されなかった投与領域を検出し、この投与領域を次の活性化のために選択する。この潜在的利点は、用量部が複数の吸入にわたって分散可能になることである。他の潜在的利点は、１つの目的のための（例えば、医薬用としての）用量部が他の目的の（例えば、代替の医薬用としての、または娯楽用の追加的な吸入を可能にする目的の）用量部と組合せ可能になることである。他の潜在的利点は、使用者の経験を多様化するために複数の種類の用量部（例えば、様々な風味）が使用可能になることである。
【０１９６】
ここで、いくつかの実施形態に係る、取外し可能な用量部投与用組立体２４００とのインターロック保護付き用量部分配装置２５００を例示する概略図である図９を参照する。
【０１９７】
いくつかの実施形態では、分配装置２５００は、投与用組立体２４００のための複数の受入れ開口部２５０１，２５０２を備える。いくつかの実施形態では、開口部２５０１は、未使用の用量カートリッジ２３００Ｃ，２３００Ａが投与用組立体２４００内に取り出される開口部である。いくつかの実施形態では、用量カートリッジ２３００Ａが分配装置２５００から抜き出された後、次の用量カートリッジ２３００Ｃは、インターロック装置によって課される条件が満たされるまで所定の位置には進まない。いくつかの実施形態では、インターロック装置の操作には、投与用組立体２４００を開口部２５０２に挿入することが含まれる。任意選択的に、挿入することによって、用量カートリッジ２３００Ｃが所定の位置に移動するようにカルーセルの移動が引き起こされる（例えば、機械的な、および／またはコントローラによって作動される操作によって）。いくつかの実施形態では、投与用組立体２４００を挿入すること（任意選択的に、挿入および取外し）によって、カートリッジ２３００Ａが抜き出され、カートリッジ２３００Ａは今度は、使用済みカートリッジ２３００Ｂの以前の位置を占める。このインターロック機構は可能性としては、確実に、一度に１つの用量部のみが分配装置２５００から取り除かれるようにする助けとなる。いくつかの実施形態では、カートリッジ２３００Ａが開口部２５０２への挿入時に投与用組立体２４００内で検知されなければ、カルーセルは前進しない。いくつかの実施形態では、カートリッジ２３００Ａは、カートリッジ２３００Ａおよび／または投与用組立体２４００を破壊せずには取り除くことができないように投与用組立体２４００に挿入されている。
【０１９８】
＜複数の潜在的同時投与用量部＞
ここで、いくつかの実施形態に係る、２つの別個のカルーセルマガジン内に保持された複数の用量カートリッジからの物質を潜在的に同時に投与するために配置されたカルーセルを例示する概略図である図１０を参照する。
【０１９９】
いくつかの実施形態では、分配装置１０００は、図１０ではカルーセルマガジン１０１０，１０２０として表される複数のマガジンを備える。各マガジンは例えば、図６Ａ〜図６Ｅのカルーセルに関連して説明されるように動作する。いくつかの実施形態では、マガジン１０１０，１０２０は積み重ねられており、また、カートリッジチャンバ１０１２，１０２２が共通の導管、または抽出空気流のための２つの少なくとも部分的に平行な導管を共有している。マガジン１０１０，１０２０は任意選択的に、共通のハウジング１００２（内側の詳細部分を明らかにするために透明に表される）に収容されているか、または個別のハウジングが設けられている。
【０２００】
いくつかの実施形態では、この装置の操作には、第１の用量カートリッジ２３００Ｃを第１のマガジン１０１０から、および第２の用量カートリッジ２３００Ｄを第２のマガジン１０２０から取り外すことが含まれる。用量カートリッジは、共有されるクランプチャンバ１００１（任意選択的に、２つの個別に作動させることができるクランプチャンバが設けられる）の中で互いに隣接して位置決めされている。原薬を帯びていない空気１００５が用量カートリッジ２３００Ｃ，２３００Ｄを介して流れ、少なくとも１種類の原薬を有する原薬を帯びた空気１００７が出ていく。適用される加熱プロファイル（時間、温度、加熱速度、および／または加熱開始点等が含まれる）は任意選択的に、２つの用量カートリッジの中で同一である。適用される加熱プロファイルは任意選択的に、個別に制御されるため、任意選択的に、異なる時間に原薬が放出され、かつ／または異なる原薬組成および／または原薬量が放出される。
【０２０１】
任意選択的に、空気流は、両方の用量カートリッジ２３００Ｃ，２３００Ｄについて統一して評価および制御される。任意選択的に、一方の用量カートリッジのみが原薬を備え、第２の不活性カートリッジが他方の用量カートリッジの位置を占める。不活性カートリッジは例えば、原薬を含まないカートリッジである（例えば、不活性パレットを含む）。不活性カートリッジの空気流特性は任意選択的に、不活性カートリッジと共に使用される用量カートリッジの空気流特性に類似する。代替的なオプションとして、不活性カートリッジは完全に空気流を遮る。任意選択的に、使用済みカートリッジが不活性カートリッジとして使用される。
【０２０２】
いくつかの実施形態では、不活性カートリッジは、マガジンの通常位置に含まれている。不活性カートリッジは任意選択的に、装置の他のアクセス可能な位置に格納されている。任意選択的に、空の位置は例えば、壁の突出部によって塞がれる。
【０２０３】
いくつかの実施形態では、不活性カートリッジ（例えば、遮断カートリッジまたは隔壁）がデフォルトで用量カートリッジマガジン位置に存在する（例えば、マガジンの製造時、薬物の装填前に配置される）。薬物装填の際に用量カートリッジを所定の位置に移動するとき、不活性カートリッジは任意選択的に、装填の一部として用量カートリッジによって取り除かれ、かつ置き換えられる。用量カートリッジが装填されないとき、隔壁が任意選択的に残存する。使用済み投与カートリッジが破棄されると、不活性カートリッジは任意選択的に、例えばばね機構によって所定の位置に返還される。
【０２０４】
ここで、いくつかの実施形態に係る、対応する複数の抽出空気流管１２２２，１２３２の中の複数の用量カートリッジクランプチャンバ１２２０，１２３０からの原薬を同時に投与するための吸入器１２００内に配置されたカルーセル１２１０を例示する概略図である図１２を参照する。
【０２０５】
いくつかの実施形態では、複数の個別の抽出空気流管１２２２，１２３２が設けられ、それぞれが用量カートリッジクランプチャンバ１２２０，１２３０を備える。用量カートリッジ２３００Ｃ，２３００Ｄは任意選択的に、単一のカルーセルマガジン１２１０または他のカートリッジマガジンから引き寄せられる。代替的に、複数のマガジンが提供される。任意選択的に、カートリッジは同時に、連続的に、および／またはまとめて個別の操作で引き寄せられ、また任意選択的に、カートリッジマガジンが単一の位置に留まっている間に、または各引寄せの間にマガジン１２１０が移動（例えば、回転）しながら引き寄せられる。
【０２０６】
いくつかの実施形態では、抽出管（extraction conduits）１２２２，１２３２を通る流れは、引寄せ管（draw conduit）１２１５を抽出管１２２２，１２３２と流体連通させて設けることによって少なくとも部分的に調整される。吸込み口１２０２からの吸入で引き起こされる、装置を通る空気の全体流量１２０９は任意選択的に、全導管の間で分配される（例えば、導管の直径および／または弁の大きさを一定に作ることおよび／または調節することによって）。その結果、各抽出管１２２２，１２３２を通る空気流部分が目的の抽出空気流プロファイルの範囲内に調節される。任意選択的に、残りの空気流が引寄せ管１２１５を通して導かれる。抽出管は任意選択的に、個別に操作される（例えば、一方のみが操作されるか、または両方が順に操作される）。
【０２０７】
任意選択的に、制御するためのデータ（例えば、操作中の用量カートリッジにおける空気流および／または温度を表す空気流データおよび／または温度データ）を提供するセンサ１２４０が、任意選択的に１つ以上の用量カートリッジ２３００Ｃ，２３００Ｄ付近または１つ以上の用量カートリッジ２３００Ｃ，２３００Ｄを介して位置決めされている。任意選択的に、制御には、用量カートリッジ２３００Ｃ，２３００Ｄの両方が同時に所定の範囲内の空気流１２０５，１２０７を経験するように空気流を調節することが含まれる（例えば、弁または開口部の位置を調節することによって）。代替的に、調節は、連続した空気流の一部が第１の用量カートリッジ位置１２２０に対して制御され、他の部分が第２の位置１２３０に応じて制御されるように行われる。任意選択的に、いくつかのセッションでは、クランプチャンバ１２２０，１２３０の一方のみが使用される。
【０２０８】
いくつかの実施形態では、複数の引寄せ管１２１５が設けられており、例えば、それら引寄せ管の１つが抽出管１２２２，１２３２のそれぞれと個別に関連している。任意選択的に、抽出管１２２２，１２３２のそれぞれを流れる空気は、吸込み口でのみ混合されうる。この潜在的利点は、各用量カートリッジを通る空気流が個別に制御可能になることである。
【０２０９】
いくつかの実施形態では、第３の種類の導管（図示していないが、一例として、上記において参照した「活性薬剤の肺送達のための方法、装置、およびシステム」と題された併行出願に「一般的導管」として説明される）には、弁を開いて調節する場合に低空気流抵抗の弁付き導管が含まれる。任意選択的に、この第３の種類の導管は、吸入時に外気を取り入れるために開かれ、例えば、原薬を帯びた空気流の背後に前進させる（すなわち「追跡する」）空気流を提供する。これは、原薬を帯びた空気を、呼吸のデッドスペースを通過させて、および／または肺のより深い部分に吸収されるように移動するための潜在的利点である。
【０２１０】
ここで、いくつかの実施形態に係る、２つの連続した位置における線型カートリッジマガジン１３０２および２重用量カートリッジ輸送部１３００を例示する概略図である図１３Ａおよび図１３Ｂを参照する。また、ここで、いくつかの実施形態に係る、２つの連続した位置における図１３Ａおよび図１３Ｂの２重用量カートリッジ輸送部１３００を例示する概略図である図１３Ｃおよび図１３Ｄも参照する。
【０２１１】
図１３Ａおよび図１３Ｃのそれぞれでは、用量カートリッジ２３００Ｃ，２３００Ｄを原薬の気化のための位置に引き入れる準備として２つの用量カートリッジ２３００Ｃ，２３００Ｄと係合された２つの引出し部２３１４が表される。図１３Ｂおよび図１３Ｄのそれぞれでは、気化のための位置にあるカートリッジ２３００Ｃ，２３００Ｄが表される。
【０２１２】
いくつかの実施形態では、吸入装置は、用量カートリッジ２３００Ｃ，２３００Ｄから１種類以上の原薬を抽出するために空気が流れる空気流管に沿って２つ以上の用量カートリッジ２３００Ｃ，２３００Ｄを挟持するように構成されたクランプチャンバ１３００を含む。矢印１３０５，１３０７は、それぞれ、用量カートリッジ内に入る原薬を帯びていない空気流、および用量カートリッジから流出する薬物を帯びた空気流を概略的に表す。
【０２１３】
いくつかの実施形態では、クランプチャンバ１３００は、２つの用量部引出し部２３１４、および関連付けられた用量カートリッジ輸送機構を備える。用量部引出し部２３１４は、用量部引出し部が、空気流管に沿って順に位置決めされているカートリッジ輸送部内に用量カートリッジを引き入れるように位置決めされている。任意選択的に、クランプ機構（明確にするために図示せず）も設けられている。クランプ機構の機能としては例えば、電極の位置決めおよび空気流管の密封が含まれる。
【０２１４】
いくつかの実施形態では、用量カートリッジの装填および／または加熱が個別に作動可能である。任意選択的に、用量カートリッジ２３００Ｃ，２３００Ｄの一方または両方が使用されるためにクランプチャンバの中に位置決めされている。任意選択的に、両方の用量カートリッジが位置決めされるが、一方のみが加熱されるか、両方が異なる時間に加熱されるか、かつ／またはカートリッジ２３００Ｃ，２３００Ｄが異なる加熱プロファイル（時間、温度、加熱速度、および／または加熱開始点等が含まれる）に曝される。
【０２１５】
任意選択的に、複数の用量カートリッジ２３００Ｃ，２３００Ｄが所定の吸入のための単一用量部を含む。任意選択的に、空気流は、本明細書に記載の単一用量カートリッジクランプチャンバの実施形態に関して基本的に説明されるように複数の用量カートリッジ２３００Ｃ，２３００Ｄについて統一して評価および制御される。
【０２１６】
経路に沿って第２の用量カートリッジに達する空気の温度が第１の加熱された用量カートリッジを通過していることによって外気温よりも高くなりうることに留意されたい。これは任意選択的に、用量カートリッジの加熱プロファイルを設定する際に考慮される。いくつかの実施形態では、用量カートリッジは、上流側の用量部を加熱する前に下流側の用量部を加熱する順序で加熱される。
【０２１７】
任意選択的に、各用量部引出し部２３１４は一緒に、用量カートリッジの輸送のために作動される。代替的に、各引込み部２３１４は個別に作動されてマガジンの特定の位置から特定の用量カートリッジを引き出す。例えば、第１の用量カートリッジ２３００Ｃが第１の引込み部２３１４に取り出され、次いで、他の用量カートリッジ２３００Ｄが第２の引込み部２３１４によってアクセス可能な位置で利用可能になるようにマガジン内で各用量カートリッジの位置がシフトされる。第１の用量カートリッジ２３００Ｃは任意選択的に、使用者がボタンを押下するか、吸込み口を使用するために位置決めするか、または他の方法で用量カートリッジの輸送のために吸入器を作動させるときに取り出される。第２の用量カートリッジ２３００Ｄは任意選択的に、制御部によって自動的に取り出されるか、または使用者による同じもしくは第２の作動に応じて取り出される。
【０２１８】
本明細書において量または値に言及して使用される「約」という用語は、「±１０％以内」を意味する。
【０２１９】
用語「comprises（備える、含む）」、「comprising（備える、含む）」、「includes（含む）」、「including（含む）」、「having（有する）」、およびこれらの活用形は、「〜を含むがこれに限定されない」ことを意味する。
【０２２０】
用語「〜からなる」は、「〜を含みかつこれに限定される」を意味する。
【０２２１】
用語「本質的に〜からなる」は、組成、方法または構造が、追加の構成要素、追加のステップ、および／または追加の部分を含みうるが、ただし特許請求している組成、方法、または構造の基本的かつ新規の特徴が、これら追加の構成要素、ステップ、または部分によって実質的に変更されない場合に限られることを意味する。
【０２２２】
本明細書において使用される単数形の「a」、「an」および「the」は、別段文脈により明らかに示されない限り、対象要素の複数形も含む。例えば「ある化合物」または「少なくとも１種類の化合物」という表現には、複数の化合物（それらの混合物も含む）が含まれうる。
【０２２３】
本明細書において「例」および「例示的な」という語は、「例、実例、または例示として役立つこと」を意味するように使用されている。「例」または「例示」として説明された実施形態は、必ずしも他の実施形態よりも好ましいまたは有利であると解釈されるものではなく、かつ／または他の実施形態の特徴が援用されることを必ずしも排除するものではない。
【０２２４】
本明細書において「任意選択的に」という語は、「いくつかの実施形態では設けられているが、他の実施形態では設けられていない」ことを意味するように使用されている。本発明の具体的な実施形態はいずれも、複数の「任意選択的な」特徴を、そのような特徴が両立しない場合を除いて含みうる。
【０２２５】
本明細書において使用される「方法」という用語は、限定されないが、本発明が属する技術の当業者に既知の手法、手段、技法、および手順、または本発明が属する技術の当業者が既知の手法、手段、技法、および手順から容易に発展させた手法、手段、技法、および手順を含む、所定の仕事を完遂するための手法、手段、技法、および手順をいう。
【０２２６】
本明細書において使用される「治療」という用語は、状態の進行を抑止する、実質的に防止する、遅くする、または逆転させること、状態の臨床的または審美的な症状を実質的に改善すること、あるいは状態の臨床的または審美的な症状の出現を実質的に防止することを含む。
【０２２７】
本出願の全体を通じて、本発明の実施形態は、範囲形式で提示されうる。範囲形式での記載は単に利便性および簡潔性を求めたものであり、本発明の範囲に対する硬直的な限定と解釈すべきでないことを理解されたい。したがって、範囲に関する記載は、当該範囲内の個々の数値のみならず全ての可能な部分範囲をも具体的に開示したものと考えられるべきである。例えば、「１〜６」等の範囲の記載は、当該範囲内ある個々の数（例えば、１、２、３、４、５、および６）のみならず「１〜３」、「１〜４」、「１〜５」、「２〜４」、「２〜６」、「３〜６」等の部分範囲を具体的に開示したものと考えられるべきである。これは、範囲の広さとは無関係に当てはまる。
【０２２８】
本明細書において数値範囲を指定している場合は常に（例えば、「１０〜１５」、「１０から１５」、または他の同様の範囲表示によってつながれた数の任意のペア）、別段文脈により明らかに示されない限り、示される範囲限界値内の、範囲限界値を含むいずれの数（端数または整数）も含むことを意味する。示される第１の数と示される第２の数と「の間の範囲」という表現と、示される第１の数「から」示される第２の数「の範囲」、第２の数「までの範囲」、第２の数「に至る範囲」、または第２の数「まで含めた範囲」（または他の同様な範囲を示す用語）という表現とは、本明細書において交換可能に使用されており、示される第１の数および第２の数、ならびにこれらの間にある全ての端数および整数を含むことを意味する。
【０２２９】
本発明についてその特定の実施形態に関連してここまで説明してきたが、当業者には数多くの代替形態、修正形態、および変形形態が明らかであろう。したがって、添付の特許請求の範囲の精神および広範な範囲内にあるそのような代替形態、修正形態、および変形形態をすべて包含することが意図されている。
【０２３０】
本明細書に記載されているすべての刊行物、特許、および特許出願は、これら個々の刊行物、特許、および特許出願それぞれが、参照によって本明細書に援用されることを明示的かつ個別に示されている場合と同じように、それぞれの内容全体が参照によって本明細書に援用される。さらには、本出願において参考文献が引用または特定されていることは、そのような参考文献が本発明の従来技術として利用可能であることを認めるものとして解釈されない。セクションの見出しが使用されている場合、それらの見出しは必ずしも本発明を制限するものとして解釈されない。
【０２３１】
明確さを目的として、個別の実施形態の文脈の中で説明されている本発明の複数の特徴を、１つの実施形態の中に組み合わせて設けることができることを理解されたい。逆に、簡潔さを目的として、１つの実施形態の文脈の中で説明されている本発明のさまざまな特徴を、個別に設ける、または適切な部分組合せとして設ける、または本発明の任意の他の説明されている実施形態において適切に設けることもできる。さまざまな実施形態の文脈の中で説明されている特徴は、実施形態がそれらの要素なしでは動作しない場合を除いて、それらの実施形態の本質的な特徴とはみなさないものとする。
【０２３２】
関連出願
本出願は、２０１４年６月３０日に出願された米国仮特許出願第６２／０１９，２２５号；２０１４年８月１１日に出願された米国仮特許出願第６２／０３５，５８８号；２０１４年１２月１日に出願された米国仮特許出願第６２／０８５，７７２号；２０１４年１２月２日に出願された米国仮特許出願第６２／０８６，２０８号；および、２０１５年５月２１日に出願された米国仮特許出願第６２／１６４，７１０号の優先権を、米国特許法第１１９条（ｅ）に基づき主張する。本出願は、「単離した物質の気化および吸入のための方法および装置」（“METHOD AND DEVICE FOR VAPORIZATION AND INHALATION OF ISOLATED SUBSTANCES”）と題されかつ２０１５年６月３０日に出願された併行出願（代理人整理番号：６２７８３）；「流量制御吸入装置」（“FLOW REGULATING INHALER DEVICE”）と題されかつ２０１５年６月３０日に出願された併行出願（代理人整理番号：６２７８４）；および、「活性薬剤の肺送達のための方法、装置、およびシステム」（“METHODS, DEVICES AND SYSTEMS FOR PULMONARY DELIVERY OF ACTIVE AGENTS”）と題されかつ２０１５年６月３０日に出願された併行出願（代理人整理番号：６２７９１、６３２１０、および６３２１１）の優先権を、米国特許法第１１９条（ｅ）に基づき主張するものであり、これら文書の開示内容は参照によりその全体が本明細書に援用される。
【図１】
2020049281.tif 000003
【図２】
2020049281.tif 000004
【図３】
2020049281.tif 000005
【図４】
2020049281.tif 000006
【図５Ａ】
2020049281.tif 000007
【図５Ｂ】
2020049281.tif 000008
【図５Ｃ−５Ｈ】
2020049281.tif 000009
【図５Ｉ−５Ｍ】
2020049281.tif 000010
【図６Ａ−６Ｃ】
2020049281.tif 000011
【図６Ｄ−６Ｅ】
2020049281.tif 000012
【図７Ａ−７Ｂ】
2020049281.tif 000013
【図７Ｃ】
2020049281.tif 000014
【図８Ａ−８Ｂ】
2020049281.tif 000015
【図９】
2020049281.tif 000016
【図１０】
2020049281.tif 000017
【図１１Ａ−１１Ｃ】
2020049281.tif 000018
【図１２】
2020049281.tif 000019
【図１３Ａ−１３Ｂ】
2020049281.tif 000020
【図１３Ｃ−１３Ｄ】
2020049281.tif 000021